(57)【要約】【課題】番組の視聴率や広告の露出回数といった従来の尺度とは異なる新たな基準に基づいて、広告効果を的確に評価することにより、効果的に広告を行うことができるようにする。【解決手段】コンテンツを受信要求するユーザ端末１３と、アドサーバー２０とが通信回線を介して接続された広告システム１において、ユーザ端末１３により前記コンテンツが受信要求されたときに、コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（ユーザ視聴質ランク）を基準とした広告表示を、ユーザ端末１３に行わせる。アドサーバー２０は、ユーザ端末１３を操作するユーザのユーザ視聴質ランクを決定しかつ取得し、このユーザ視聴質ランクに基づいて、予め広告主から依頼された広告の広告データをユーザ端末１３へ送信させる。【選択図】  図１
2007073059.tif 000002
【特許請求の範囲】
【請求項１】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
前記ユーザ端末に対して提供されるコンテンツ毎に、当該コンテンツを受信要求したユーザの累積アクセス件数を、視聴質ランク別の実績情報として記憶するコンテンツ毎視聴質ランク実績記憶手段と、
を備え、
前記ユーザ視聴質ランク取得手段は、前記受信した視聴質ランク取得用のアンケートに対する回答データに基づいて前記コンテンツを受信要求したユーザのユーザ視聴質ランクを決定しかつ取得した後に、当該決定・取得したユーザ視聴質ランクに基づいて、前記コンテンツ毎視聴質ランク実績記憶手段に記憶されている前記視聴質ランク別の実績情報を更新すること、
を特徴とする広告システム。
【請求項２】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末に対して提供されるコンテンツ毎に、当該コンテンツを受信要求したユーザの累積アクセス件数を、視聴質ランク別の実績情報として記憶するコンテンツ毎視聴質ランク実績記憶手段と、
前記ユーザ端末により前記コンテンツの受信要求がされたときに、前記コンテンツ毎視聴質ランク実績記憶手段に記憶されている前記実績情報を参照し、前記受信要求されたコンテンツに対応して記憶されている前記実績情報に基づいて、前記コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
を備え、
前記コンテンツ毎視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、
を特徴とする広告システム。
【請求項３】
有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末によって受信要求されるコンテンツに対応づけて、当該コンテンツに関連付けた放送番組、映画、演劇、演奏、又はイベントの提供に係る日又は日時又は時刻を示す情報を記憶する主題情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
前記ユーザ端末により前記コンテンツが受信要求された日又は日時又は時刻と、当該コンテンツが関連付けた放送番組、映画、演劇、演奏、又はイベントの提供に係る日又は日時又は時刻との前後関係に係る情報に対応づけて、当該コンテンツを受信要求したユーザの累積アクセス件数を、視聴質ランク別の実績情報として記憶する、提供時間視聴質ランク実績記憶手段と、
を備え、
前記ユーザ視聴質ランク取得手段は、
前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、
前記取得処理部が当該ユーザ視聴質ランクを決定し取得した後に、当該決定・取得した視聴質ランクに基づいて、前記提供時間視聴質ランク実績記憶手段に記憶されている前記視聴質ランク別の実績情報を更新する実績保存処理部と、
を備えることを特徴とする広告システム。
【請求項４】
有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末によって受信要求されるコンテンツに対応づけて、当該コンテンツに関連付けた放送番組、映画、演劇、演奏、又はイベントの提供に係る日又は日時又は時刻を示す情報を記憶する主題情報記憶手段と、
前記ユーザ端末により前記コンテンツが受信要求された日又は日時又は時刻と、当該コンテンツに関連付けた放送番組、映画、演劇、演奏、又はイベントの提供に係る日又は日時又は時刻との前後関係に係る情報に対応づけて、当該コンテンツを受信要求したユーザの累積アクセス件数を、視聴質ランク別の実績情報として記憶する、提供時間視聴質ランク実績記憶手段と、
前記主題情報記憶手段に記憶された前記提供に係る日又は日時又は時刻を示す情報を参照し、前記コンテンツが受信要求された日又は日時又は時刻と当該コンテンツに関連付けた放送番組、映画、演劇、演奏、又はイベントの提供に係る日又は日時又は時刻との前後関係を求め、前記求めた前後関係と前記提供時間視聴質ランク実績記憶手段に記憶されている前記実績情報とに基づいて、前記コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
を備え、
前記提供時間視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、
を特徴とする広告システム。
【請求項５】
有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段と、
を備え、
前記ユーザ視聴質ランク取得手段は、
前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、
前記取得処理部が当該視聴質ランクを決定し取得した後に、当該決定・取得したユーザ視聴質ランクに基づいて、前記到達方法視聴質ランク実績記憶手段に記憶されている前記視聴質ランク別の実績情報を更新する実績保存処理部と、
を備えることを特徴とする広告システム。
【請求項６】
有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段と、
前記ユーザ端末からの受信要求のＵＲＬリクエストに基づいて、前記コンテンツを受信要求した前記ユーザが前記コンテンツに到達するために用いた手段又は契機を示す情報を取得し、前記取得した到達の手段又は契機を示す情報と前記到達方法視聴質ランク実績記憶手段に記憶されている実績情報とに基づいて、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
を備え、
前記到達方法視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、
を特徴とする広告システム。
【請求項７】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末によって受信要求されるコンテンツに対応づけて、前記コンテンツがアクセス可能になった日又は日時又は時刻を示す情報を記憶する主題情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
前記コンテンツがアクセス可能になった日又は日時又は時刻と前記ユーザ端末をユーザが操作して前記コンテンツを受信要求した日又は日時又は時刻との差分に対応づけて、そのコンテンツを受信要求した前記ユーザの累積アクセス件数を、視聴質ランク別の実績情報として記憶する、到達時間視聴質ランク実績記憶手段と、
を備え、
前記ユーザ視聴質ランク取得手段は、
前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、
前記取得処理部が当該視聴質ランクを決定し取得した後に、当該決定・取得したユーザ視聴質ランクに基づいて、前記到達時間視聴質ランク実績記憶手段に記憶されている前記視聴質ランク別の実績情報を更新する実績保存処理部と、
を備えることを特徴とする広告システム。
【請求項８】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末によって受信要求されるコンテンツに対応づけて、前記コンテンツがアクセス可能になった日又は日時又は時刻を示す情報を記憶する主題情報記憶手段と、
前記コンテンツがアクセス可能になった日又は日時又は時刻と前記ユーザ端末をユーザが操作して前記コンテンツを受信要求した日又は日時又は時刻との差分に対応づけて、そのコンテンツを受信要求した前記ユーザの累積アクセス件数を、視聴質ランク別の実績情報として記憶する、到達時間視聴質ランク実績記憶手段と、
前記主題情報記憶手段に記憶された前記アクセス可能になった日又は日時又は時刻を示す情報を参照し、前記コンテンツがアクセス可能になった日又は日時又は時刻と前記コンテンツを受信要求した日又は日時又は時刻との差分を到達時間として求め、前記求めた到達時間と前記到達時間視聴質ランク実績記憶手段に記憶されている前記実績情報とに基づいて、前記コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
を備え、
前記到達時間視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、
を特徴とする広告システム。
【請求項９】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段をさらに備え、
前記ユーザ視聴質ランク取得手段は、
前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、
前記取得処理部が当該視聴質ランクを決定し取得した後に、当該決定・取得したユーザ視聴質ランクに基づいて、前記到達方法視聴質ランク実績記憶手段に記憶されている前記視聴質ランク別の実績情報を更新する実績保存処理部と、
を備えることを特徴とする広告システム。
【請求項１０】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段と、
前記ユーザ端末からの受信要求のＵＲＬリクエストに基づいて、前記コンテンツを受信要求した前記ユーザが前記コンテンツに到達するために用いた手段又は契機を示す情報を取得し、前記取得した到達の手段又は契機を示す情報と前記到達方法視聴質ランク実績記憶手段に記憶されている実績情報とに基づいて、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
を備え、
前記到達方法視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、
を特徴とする広告システム。
【請求項１１】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
視聴質ランク毎に予め設定された視聴質ポイント値を記憶する視聴質ポイント記憶手段と、
を備え、
前記広告制御情報記憶手段は、前記制御情報として、広告データ毎ののべ視聴質ポイント値をさらに記憶しており、
前記広告制御手段は、前記広告制御情報記憶手段にのべ視聴質ポイント値が記憶された広告データを各ユーザ端末へ送信する毎に、前記ユーザ視聴質ランク取得手段により取得された各ユーザの視聴質ランクに対応する視聴質ポイント値を前記視聴質ポイント記憶手段から取得し、前記広告制御情報記憶手段に記憶されたのべ視聴質ポイント値から前記取得した視聴質ポイント値を減算したポイント残高を算出して前記広告制御情報記憶手段に記憶し、前記広告データの送信残り回数を前記ポイント残高に従い制限すること、
を特徴とする広告システム。
【請求項１２】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
視聴質ランク毎に予め設定された広告データの送信単価を記憶する視聴質単価記憶手段と、
を備え、
前記広告制御情報記憶手段は、前記制御情報として、広告データ毎の合計広告金額をさらに記憶しており、
前記広告制御手段は、前記広告制御情報記憶手段に合計広告金額が記憶された広告データを各ユーザ端末へ送信する毎に、前記ユーザ視聴質ランク取得手段により取得された各ユーザの視聴質ランクに対応する送信単価を前記視聴質単価記憶手段から取得し、前記広告制御情報記憶手段に記憶された前記合計広告金額から前記取得した送信単価を減算した残高を算出して前記広告制御情報記憶手段に記憶し、前記広告データの送信残り回数を前記残高に従い制限すること、
を特徴とする広告システム。
【請求項１３】
ユーザが操作するユーザ端末によってコンテンツがアクセスされたときに、そのユーザ端末に対して広告データを送信し、前記ユーザ端末において広告を出力させる広告システムであって、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、
視聴質ランク毎に予め設定された視聴質度合を記憶する視聴質度合記憶手段と、
総送信回数を視聴質ランク毎に配分する配分処理手段と、
を備え、
前記広告制御情報記憶手段は、前記制御情報として、前記配分処理手段によって配分された視聴質ランク毎の送信回数をさらに記憶しており、
前記配分処理手段は、広告主または代理人によって指定される広告データ毎の平均視聴質度合を入力したことに応じて、当該入力された広告データ毎の平均視聴質度合と一致する度合が、前記視聴質度合記憶手段にあるかどうかを判定し、一致する度合の視聴質ランクがある場合、総送信回数を該当する視聴質ランクにおける送信回数として配分し、一致する度合の視聴質ランクが無い場合、前記総送信回数を、前記平均視聴質度合に直近する上下の視聴質ランクの度合に従い、当該直近する上下の視聴質ランクにおける送信回数としてそれぞれ配分し、
前記広告制御手段は、前記広告データを各ユーザ端末へ送信する毎に、前記ユーザ視聴質ランク取得手段により取得された各ユーザのユーザ視聴質ランクに対応する前記送信回数を１ずつ減算して残回数を算出し、前記広告制御情報記憶手段に記憶すること、
を特徴とする広告システム。
【請求項１４】
ユーザが操作するユーザ端末によってコンテンツがアクセスされたときに、そのユーザ端末に対して広告データを送信し、前記ユーザ端末において広告を出力させる広告システムにおける広告結果記録方法であって、
前記広告システムは、
前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、
視聴質ランク毎に予め設定された視聴質ポイント値を記憶する視聴質ポイント記憶手段と、
ユーザ視聴質ランク取得手段と、
広告制御手段と、
広告結果保存処理手段とを備え、
前記広告制御手段が、前記広告制御情報記憶手段に記憶された制御条件に従い、ユーザ端末に対して広告データを送信するステップと、
前記広告データ送信ステップの前または後において、前記ユーザ端末により前記コンテンツが受信要求されたときに、前記ユーザ視聴質ランク取得手段が、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するステップと、
広告結果保存処理手段が、
前記広告データ送信ステップ及び前記視聴質ランク取得ステップの後に、前記視聴質ポイント記憶手段を参照し、前記視聴質取得ステップで取得したユーザ視聴質ランクに該当する視聴質ポイントの値を取得するステップと、
前記取得した視聴質ポイントの値を、広告データを送信した累積結果を示す累積視聴質ポイントの値に加算し、前記広告データに対応づけて記録する記録ステップとを含むこと、
を特徴とする広告結果記録方法。
【発明の詳細な説明】
【技術分野】
【０００１】
本発明は、通信回線を介して広告を提供する広告システム、及び、広告結果記録方法に関する。
【背景技術】
【０００２】
一般に、例えばテレビ放送を媒体とする広告ビジネスにおいては、番組の視聴率に基づいて広告効果を予測し、広告費用が算出される。視聴率の影響力は極めて大きく、最近では、視聴率を予測する手法が提案されるまでになっている（例えば、特許文献１参照。）。
【０００３】
【特許文献１】特開２００４−１２９２４５号公報
【０００４】
特許文献１に開示された受信装置は視聴者の自宅に設置される機器であって、視聴者がテレビ放送の番組について予約録画を行うと、当該受信装置は、予約状況に係る情報を、通信回線を介してホストコンピュータに送信する。そして、ホストコンピュータにおいては、多数の受信装置から送信される情報に基づいて、まだ放送されていない番組の視聴率を予測する。
【発明の開示】
【発明が解決しようとする課題】
【０００５】
ところで、テレビ放送以外の広告については、広告の露出数や、資料請求等のユーザの反応数が広告効果の尺度となっている。例えば、インターネットのウェブサイトにおいてウェブページ中に表示される広告については、主に広告が露出した回数や広告に対するユーザの直接的な行動（バナークリック等）をもとに広告効果を評価していた。
しかしながら、このような方法は、ウェブページ上で表示されるバナー広告など、一定の要件を満たす広告形態については有効であるかもしれないが、コンテンツをインターネット放送する場合や、テレビ放送される番組と連動したウェブサイト等、新しい形態のコンテンツについては、有効性が疑問視される。
【０００６】
その一方で、広告効果は広告費用の算出の根拠となるものであるから、如何なる形態の広告であっても、的確に広告効果を評価することが非常に重要である。このため、新しい形態のコンテンツについて、的確に広告効果を評価するための手法が望まれていた。
【０００７】
そこで、本発明は、番組の視聴率や広告の露出回数といった従来の尺度とは異なる新たな基準に基づいて、広告効果を的確に評価することにより、効果的に広告を行うことができるようにすることを目的とする。
【課題を解決するための手段】
【０００８】
上記の目的を達成するため、本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、前記ユーザ端末に対して提供されるコンテンツ毎に、当該コンテンツを受信要求したユーザの累積アクセス件数を、視聴質ランク別の実績情報として記憶するコンテンツ毎視聴質ランク実績記憶手段と、を備え、前記ユーザ視聴質ランク取得手段は、前記受信した視聴質ランク取得用のアンケートに対する回答データに基づいて前記コンテンツを受信要求したユーザのユーザ視聴質ランクを決定しかつ取得した後に、当該決定・取得したユーザ視聴質ランクに基づいて、前記コンテンツ毎視聴質ランク実績記憶手段に記憶されている前記視聴質ランク別の実績情報を更新すること、を特徴とする。
【０００９】
また、本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末に対して提供されるコンテンツ毎に、当該コンテンツを受信要求したユーザの累積アクセス件数を、視聴質ランク別の実績情報として記憶するコンテンツ毎視聴質ランク実績記憶手段と、前記ユーザ端末により前記コンテンツの受信要求がされたときに、前記コンテンツ毎視聴質ランク実績記憶手段に記憶されている前記実績情報を参照し、前記受信要求されたコンテンツに対応して記憶されている前記実績情報に基づいて、前記コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、を備え、前記コンテンツ毎視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、を特徴とする。
【００１０】
また、本発明の広告システムは、有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末によって受信要求されるコンテンツに対応づけて、当該コンテンツに関連付けた放送番組、映画、演劇、演奏、又はイベントの提供に係る日又は日時又は時刻を示す情報を記憶する主題情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、前記ユーザ端末により前記コンテンツが受信要求された日又は日時又は時刻と、当該コンテンツが関連付けた放送番組、映画、演劇、演奏、又はイベントの提供に係る日又は日時又は時刻との前後関係に係る情報に対応づけて、当該コンテンツを受信要求したユーザの累積アクセス件数を、視聴質ランク別の実績情報として記憶する、提供時間視聴質ランク実績記憶手段と、を備え、前記ユーザ視聴質ランク取得手段は、前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、前記取得処理部が当該ユーザ視聴質ランクを決定し取得した後に、当該決定・取得した視聴質ランクに基づいて、前記提供時間視聴質ランク実績記憶手段に記憶されている前記視聴質ランク別の実績情報を更新する実績保存処理部と、を備えることを特徴とする。
【００１１】
また本発明の広告システムは、有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末によって受信要求されるコンテンツに対応づけて、当該コンテンツに関連付けた放送番組、映画、演劇、演奏、又はイベントの提供に係る日又は日時又は時刻を示す情報を記憶する主題情報記憶手段と、前記ユーザ端末により前記コンテンツが受信要求された日又は日時又は時刻と、当該コンテンツに関連付けた放送番組、映画、演劇、演奏、又はイベントの提供に係る日又は日時又は時刻との前後関係に係る情報に対応づけて、当該コンテンツを受信要求したユーザの累積アクセス件数を、視聴質ランク別の実績情報として記憶する、提供時間視聴質ランク実績記憶手段と、前記主題情報記憶手段に記憶された前記提供に係る日又は日時又は時刻を示す情報を参照し、前記コンテンツが受信要求された日又は日時又は時刻と当該コンテンツに関連付けた放送番組、映画、演劇、演奏、又はイベントの提供に係る日又は日時又は時刻との前後関係を求め、前記求めた前後関係と前記提供時間視聴質ランク実績記憶手段に記憶されている前記実績情報とに基づいて、前記コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、を備え、前記提供時間視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、を特徴とする。
【００１２】
さらに、本発明の広告システムは、有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段と、を備え、前記ユーザ視聴質ランク取得手段は、前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、前記取得処理部が当該視聴質ランクを決定し取得した後に、当該決定・取得したユーザ視聴質ランクに基づいて、前記到達方法視聴質ランク実績記憶手段に記憶されている前記視聴質ランク別の実績情報を更新する実績保存処理部と、を備えることを特徴とする。
【００１３】
さらに、本発明の広告システムは、有線又は無線により放送される番組、劇場公開される映画、演劇、演奏、又はイベントに関連付けたコンテンツが、ユーザが操作するユーザ端末によってアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段と、前記ユーザ端末からの受信要求のＵＲＬリクエストに基づいて、前記コンテンツを受信要求した前記ユーザが前記コンテンツに到達するために用いた手段又は契機を示す情報を取得し、前記取得した到達の手段又は契機を示す情報と前記到達方法視聴質ランク実績記憶手段に記憶されている実績情報とに基づいて、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、を備え、前記到達方法視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、を特徴とする。
【００１４】
さらに本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末によって受信要求されるコンテンツに対応づけて、前記コンテンツがアクセス可能になった日又は日時又は時刻を示す情報を記憶する主題情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、前記コンテンツがアクセス可能になった日又は日時又は時刻と前記ユーザ端末をユーザが操作して前記コンテンツを受信要求した日又は日時又は時刻との差分に対応づけて、そのコンテンツを受信要求した前記ユーザの累積アクセス件数を、視聴質ランク別の実績情報として記憶する、到達時間視聴質ランク実績記憶手段と、を備え、前記ユーザ視聴質ランク取得手段は、前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、前記取得処理部が当該視聴質ランクを決定し取得した後に、当該決定・取得したユーザ視聴質ランクに基づいて、前記到達時間視聴質ランク実績記憶手段に記憶されている前記視聴質ランク別の実績情報を更新する実績保存処理部と、を備えることを特徴とする。
【００１５】
また、本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末によって受信要求されるコンテンツに対応づけて、前記コンテンツがアクセス可能になった日又は日時又は時刻を示す情報を記憶する主題情報記憶手段と、前記コンテンツがアクセス可能になった日又は日時又は時刻と前記ユーザ端末をユーザが操作して前記コンテンツを受信要求した日又は日時又は時刻との差分に対応づけて、そのコンテンツを受信要求した前記ユーザの累積アクセス件数を、視聴質ランク別の実績情報として記憶する、到達時間視聴質ランク実績記憶手段と、前記主題情報記憶手段に記憶された前記アクセス可能になった日又は日時又は時刻を示す情報を参照し、前記コンテンツがアクセス可能になった日又は日時又は時刻と前記コンテンツを受信要求した日又は日時又は時刻との差分を到達時間として求め、前記求めた到達時間と前記到達時間視聴質ランク実績記憶手段に記憶されている前記実績情報とに基づいて、前記コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、を備え、前記到達時間視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、を特徴とする。
【００１６】
さらに本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段をさらに備え、前記ユーザ視聴質ランク取得手段は、前記コンテンツの受信要求がされたときに、視聴質ランク取得用のアンケートを前記ユーザ端末に送信し、前記アンケートに対して前記ユーザ端末の操作により入力される回答データを受信し、当該受信した回答データに基づいて前記コンテンツを受信要求したユーザのユーザ視聴質ランクを決定し取得する、取得処理部と、前記取得処理部が当該視聴質ランクを決定し取得した後に、当該決定・取得したユーザ視聴質ランクに基づいて、前記到達方法視聴質ランク実績記憶手段に記憶されている前記視聴質ランク別の実績情報を更新する実績保存処理部と、を備えることを特徴とする。
【００１７】
また、本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末からの受信要求のＵＲＬリクエストに含まれる識別情報であって、前記ユーザが前記コンテンツに到達するために用いた手段又は契機を示す情報に対応づけて、当該コンテンツに到達したユーザの累積アクセス件数を、視聴質ランク別の実績情報として記憶する、到達方法視聴質ランク実績記憶手段と、前記ユーザ端末からの受信要求のＵＲＬリクエストに基づいて、前記コンテンツを受信要求した前記ユーザが前記コンテンツに到達するために用いた手段又は契機を示す情報を取得し、前記取得した到達の手段又は契機を示す情報と前記到達方法視聴質ランク実績記憶手段に記憶されている実績情報とに基づいて、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する、ユーザ視聴質ランク取得手段と、
前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、を備え、前記到達方法視聴質ランク実績記憶手段が記憶する、前記視聴質ランク別の実績情報は、前記ユーザ端末による前記コンテンツの受信要求に先行した別の受信要求があったときに、アンケート送受信部が、視聴質ランク取得用のアンケートを前記別の受信要求をしたユーザ端末に送信し、前記アンケートに対して前記ユーザ端末の操作により入力される回答データを受信し、実績保存処理部が、当該受信した回答データに基づいて前記別の受信要求をしたユーザのユーザ視聴質ランクを決定しかつ取得して、対応する視聴質ランクの累積アクセス件数をカウントアップさせた情報であること、を特徴とする。
【００１８】
さらに本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、視聴質ランク毎に予め設定された視聴質ポイント値を記憶する視聴質ポイント記憶手段と、を備え、前記広告制御情報記憶手段は、前記制御情報として、広告データ毎ののべ視聴質ポイント値をさらに記憶しており、前記広告制御手段は、前記広告制御情報記憶手段にのべ視聴質ポイント値が記憶された広告データを各ユーザ端末へ送信する毎に、前記ユーザ視聴質ランク取得手段により取得された各ユーザの視聴質ランクに対応する視聴質ポイント値を前記視聴質ポイント記憶手段から取得し、前記広告制御情報記憶手段に記憶されたのべ視聴質ポイント値から前記取得した視聴質ポイント値を減算したポイント残高を算出して前記広告制御情報記憶手段に記憶し、前記広告データの送信残り回数を前記ポイント残高に従い制限すること、を特徴とする。
【００１９】
さらに本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、視聴質ランク毎に予め設定された広告データの送信単価を記憶する視聴質単価記憶手段と、を備え、前記広告制御情報記憶手段は、前記制御情報として、広告データ毎の合計広告金額をさらに記憶しており、前記広告制御手段は、前記広告制御情報記憶手段に合計広告金額が記憶された広告データを各ユーザ端末へ送信する毎に、前記ユーザ視聴質ランク取得手段により取得された各ユーザの視聴質ランクに対応する送信単価を前記視聴質単価記憶手段から取得し、前記広告制御情報記憶手段に記憶された前記合計広告金額から前記取得した送信単価を減算した残高を算出して前記広告制御情報記憶手段に記憶し、前記広告データの送信残り回数を前記残高に従い制限すること、を特徴とする。
【００２０】
さらに本発明の広告システムは、ユーザが操作するユーザ端末によってコンテンツがアクセスされたときに、そのユーザ端末に対して広告データを送信し、前記ユーザ端末において広告を出力させる広告システムであって、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、前記ユーザ端末により前記コンテンツが受信要求されたときに、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するユーザ視聴質ランク取得手段と、前記広告制御情報記憶手段に記憶された前記制御情報を参照し、前記ユーザ視聴質ランク取得手段が取得した前記ユーザのユーザ視聴質ランクに基づいて、前記出力条件を満たす広告データを特定し、前記コンテンツを受信要求した前記ユーザ端末に対する当該広告データの送信を制御する広告制御手段と、視聴質ランク毎に予め設定された視聴質度合を記憶する視聴質度合記憶手段と、総送信回数を視聴質ランク毎に配分する配分処理手段と、を備え、前記広告制御情報記憶手段は、前記制御情報として、前記配分処理手段によって配分された視聴質ランク毎の送信回数をさらに記憶しており、前記配分処理手段は、広告主または代理人によって指定される広告データ毎の平均視聴質度合を入力したことに応じて、当該入力された広告データ毎の平均視聴質度合と一致する度合が、前記視聴質度合記憶手段にあるかどうかを判定し、一致する度合の視聴質ランクがある場合、総送信回数を該当する視聴質ランクにおける送信回数として配分し、一致する度合の視聴質ランクが無い場合、前記総送信回数を、前記平均視聴質度合に直近する上下の視聴質ランクの度合に従い、当該直近する上下の視聴質ランクにおける送信回数としてそれぞれ配分し、前記広告制御手段は、前記広告データを各ユーザ端末へ送信する毎に、前記ユーザ視聴質ランク取得手段により取得された各ユーザのユーザ視聴質ランクに対応する前記送信回数を１ずつ減算して残回数を算出し、前記広告制御情報記憶手段に記憶すること、を特徴とする。
【００２１】
本発明の広告結果記録方法は、ユーザが操作するユーザ端末によってコンテンツがアクセスされたときに、そのユーザ端末に対して広告データを送信し、前記ユーザ端末において広告を出力させる広告システムにおける広告結果記録方法であって、前記広告システムは、前記ユーザ端末に広告を出力させる条件を示す制御情報を、広告出力先ユーザの視聴質ランクに関連づけて広告毎に記憶する広告制御情報記憶手段であって、前記広告出力先ユーザの視聴質ランクは、広告主または代理人によって予め指定されまたは選択されたものである、前記広告制御情報記憶手段と、視聴質ランク毎に予め設定された視聴質ポイント値を記憶する視聴質ポイント記憶手段と、ユーザ視聴質ランク取得手段と、広告制御手段と、広告結果保存処理手段とを備え、前記広告制御手段が、前記広告制御情報記憶手段に記憶された制御条件に従い、ユーザ端末に対して広告データを送信するステップと、前記広告データ送信ステップの前または後において、前記ユーザ端末により前記コンテンツが受信要求されたときに、前記ユーザ視聴質ランク取得手段が、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得するステップと、広告結果保存処理手段が、前記広告データ送信ステップ及び前記視聴質ランク取得ステップの後に、前記視聴質ポイント記憶手段を参照し、前記視聴質取得ステップで取得したユーザ視聴質ランクに該当する視聴質ポイントの値を取得するステップと、前記取得した視聴質ポイントの値を、広告データを送信した累積結果を示す累積視聴質ポイントの値に加算し、前記広告データに対応づけて記録する記録ステップとを含むこと、を特徴とする。
【発明の効果】
【００２２】
本発明によれば、ユーザが操作するユーザ端末によってコンテンツがアクセスされたときに、そのユーザ端末に対して広告データを送信し、前記ユーザ端末において広告を出力させる広告システムであって、前記広告システムは、広告制御情報記憶手段と、ユーザ視聴質ランク取得手段と、広告制御手段とを備える。広告制御情報記憶手段は、ユーザ端末に広告を出力させる条件を示す制御情報を、広告出力先ユーザの視聴質ランクに関連づけて広告毎に記憶する手段であって、前記広告出力先ユーザの視聴質ランクは、広告主または代理人によって予め指定されまたは選択されたものである。ユーザ端末によりコンテンツが受信要求されたときに、ユーザ視聴質ランク取得手段は、当該コンテンツを受信要求したユーザの、当該受信要求されたコンテンツ自体あるいは当該受信要求されたコンテンツに関連付けた放送番組、映画、演劇、演奏、又はイベントに対する関心度の高低に応じたランク（以下「ユーザ視聴質ランク」という）を決定しかつ取得する。また、広告制御手段は、広告制御情報記憶手段に記憶された制御情報を参照し、ユーザ視聴質取得手段が取得したユーザのユーザ視聴質ランクに基づいて、出力条件を満たす広告データを特定し、コンテンツを受信要求したユーザ端末に対する当該広告データの送信を制御する。
ここで、視聴質とは、本発明に従いユーザ端末によって受信要求されたコンテンツ自体あるいは受信要求されたコンテンツに関連付けた放送番組、映画、演劇、演奏、又はイベントに対するユーザの関心の度合を示し、例えばテレビ放送される番組に関連するウェブページ上のコンテンツが受信要求されたとき、当該受信要求されたコンテンツ自体、或いは当該受信要求されたコンテンツに関連付けた番組自体に対するユーザの関心の度合を示す。視聴質ランクとは、視聴質を複数の段階に分けて示す尺度であり、視聴質ランクが高いユーザとは、受信要求されたコンテンツ自体あるいは受信要求されたコンテンツに関連付けた放送番組、映画、演劇、演奏、又はイベントに対して高い関心を抱いているとランクされたユーザのことを指す。
従って、本発明によれば、ユーザ端末を操作してコンテンツを受信要求したユーザの、受信要求したコンテンツ自体あるいは受信要求されたコンテンツに関連付けた放送番組、映画、演劇、演奏、又はイベントに対する視聴質（例えば、テレビ放送される番組に関連するウェブページ上のコンテンツが受信要求されたとき、当該受信要求されたコンテンツ自体、或いは当該受信要求されたコンテンツに関連付けた番組自体に対するユーザの関心度）を数値化したユーザ視聴質ランクと、広告主または代理人によって予め指定されまたは選択される広告出力条件に応じて、広告を出力させることができるので、例えば、受信要求した特定のコンテンツに対して高い関心を持つユーザに限って広告を出力する等の処理を行うことができ、効率よく高い広告効果を得ることができる。
数値化された視聴質ランクとして取得及び処理すると、処理の高速化及び効率化を図ることができる。また、ユーザの視聴質ランクを数値化すると定量的な分析が可能となり、広告効果等の統計的考察等が可能となる。このため、極めて高精度の広告効果の予測等が可能となる。
ユーザ視聴質ランク取得手段は、コンテンツの受信要求がされたときに、視聴質ランク取得用のアンケートをユーザ端末に送信し、アンケートに対してユーザ端末の操作により入力される回答データを受信し、受信した回答データに基づいてコンテンツを受信要求したユーザの視聴質ランクを決定し取得するので、ユーザ端末を操作するユーザに直接的な意思表示を行わせることにより、コンテンツを要求したユーザの正確な視聴質ランクを取得できる。また、視聴質ランク取得用のアンケートについて受信した回答データに基づいて、コンテンツを要求したユーザの視聴質ランクを決定し取得できた場合に、その視聴質ランクに基づいて、コンテンツ毎視聴質ランク実績記憶手段に記憶されている実績情報を更新することで、コンテンツ毎視聴質ランク実績記憶手段に記憶される情報の質を高めることができる。
【００２３】
本発明によれば、広告システムは、ユーザ端末に対して提供されるコンテンツ毎に、当該コンテンツを受信要求したユーザの累積アクセス件数を、視聴質ランク別の実績情報として記憶する、コンテンツ毎視聴質ランク実績記憶手段をさらに備えている。ユーザ視聴質ランク取得手段は、ユーザ端末によりコンテンツの受信要求がされたときに、コンテンツ毎視聴質ランク実績記憶手段に記憶されている実績情報を参照し、受信要求されたコンテンツに対応して記憶されている実績情報に基づいて、コンテンツを受信要求したユーザのユーザ視聴質ランクを決定しかつ取得する。そして、広告制御手段は、広告制御情報記憶手段に記憶された制御情報を参照し、ユーザ視聴質ランク取得手段が取得したユーザの視聴質ランクに基づいて、出力条件を満たす広告データを特定し、コンテンツを受信要求したユーザ端末に対する広告データの送信を制御する。ここで、コンテンツ毎視聴質ランク実績記憶手段が記憶する、視聴質ランク別の実績情報は、前記ユーザ端末による前記コンテンツの受信要求に先行した別の受信要求があったときに、アンケート送受信部が、視聴質ランク取得用のアンケートを別の受信要求をしたユーザ端末に送信し、そのアンケートに対してユーザ端末の操作により入力される回答データを受信し、実績保存処理部が、当該受信した回答データに基づいて別の受信要求をしたユーザの視聴質ランクを決定しかつ取得して、対応する視聴質ランクの累積アクセス件数をカウントアップさせた情報である。したがって、先行するアンケートの回答データによって質の高められた実績情報に基づいて、コンテンツを受信要求したユーザに効果的に広告データを送信することができる。
【００２４】
本発明によれば、広告システムは、有線又は無線により放送される番組、劇場公開される映画、演劇、演奏、又はイベントに関連付けたコンテンツが、ユーザ端末によってアクセスされたときに、ユーザ端末に対して広告データを送信するものである。広告システムは、主題情報記憶手段と、提供時間視聴質ランク実績記憶手段と、をさらに備えている。主題情報記憶手段は、ユーザ端末によって受信要求されるコンテンツに対応づけて、当該コンテンツに関連付けた放送番組、映画、演劇、演奏、又はイベントの提供に係る日又は日時又は時刻を示す情報を記憶する。提供時間視聴質ランク実績記憶手段は、ユーザ端末によりコンテンツが受信要求された日又は日時又は時刻と、当該コンテンツに関連付けた放送番組、映画、演劇、演奏、又はイベントの提供に係る日又は日時又は時刻との前後関係に係る情報に対応づけて、当該コンテンツを受信要求したユーザの累積アクセス件数を、視聴質ランク別の実績情報として記憶する。ここで、放送番組、映画、演劇、演奏、又はイベントの提供に係る日又は日時又は時刻とは、例えば、放送番組の場合、番組の放送日時、番組の放送開始日時、番組を記録した記録媒体または番組の映像データ自体の発売日時、ペイパービュー（pay  per  view）方式等における番組の発売日時、オンデマンド放送等における番組の視聴開始日時、番組の予告映像等の放送日時や視聴開始日時若しくは配布日等を指す。また、映画の場合、劇場公開日時、映画を記録した記録媒体または映画の映像データ自体の発売日時、ペイパービュー（pay  per  view）方式等における映画の発売日時、オンデマンド放送等における映画の視聴開始日時、映画の予告映像等の放送日時や視聴開始日時若しくは配布日等をいう。さらに、演劇、演奏、又はイベントの場合、イベントの上演日時等をいう。
本発明によると、ユーザ視聴質ランク取得手段は、主題情報記憶手段に記憶された提供に係る日又は日時又は時刻を示す情報を参照し、コンテンツが受信要求された日又は日時又は時刻と当該コンテンツに関連付けた放送番組、映画、演劇、演奏、又はイベントの提供に係る日又は日時又は時刻との前後関係を求め、求めた前後関係と提供時間視聴質ランク実績記憶手段に記憶されている実績情報とに基づいて、コンテンツを受信要求したユーザのユーザ視聴質ランク」を決定しかつ取得する。ユーザ視聴質ランク取得手段が備える取得処理部において、視聴質ランク取得用のアンケートについて受信した回答データに基づいて、コンテンツを要求したユーザの視聴質ランクを決定し取得できた場合に、ユーザ視聴質ランク取得手段が備える実績保存処理部が、その視聴質ランクに基づいて、提供時間視聴質ランク実績記憶手段に記憶されている実績情報を更新することで、提供時間視聴質ランク実績記憶手段に記憶される実績情報の質を高めることができる。
【００２５】
本発明によれば、上記提供時間視聴質ランク実績記憶手段が記憶する、視聴質ランク別の実績情報は、前記ユーザ端末による前記コンテンツの受信要求に先行した別の受信要求があったときに、アンケート送受信部が、視聴質ランク取得用のアンケートを別の受信要求をしたユーザ端末に送信し、そのアンケートに対してユーザ端末の操作により入力される回答データを受信し、実績保存処理部が、当該受信した回答データに基づいて別の受信要求をしたユーザの視聴質ランクを決定しかつ取得して、対応する視聴質ランクの累積アクセス件数をカウントアップさせた情報である。したがって、先行するアンケートの回答データによって質の高められた実績情報に基づいて、コンテンツを受信要求したユーザに効果的に広告データを送信することができる。
【００２６】
本発明によれば、広告システムは、到達方法視聴質ランク実績記憶手段をさらに備えている。到達方法視聴質ランク実績記憶手段は、ユーザ端末からの受信要求のＵＲＬリクエストに含まれる識別情報であって、ユーザがコンテンツに到達するために用いた手段又は契機を示す情報に対応づけて、当該コンテンツに到達したユーザの累積アクセス件数を、視聴質ランク別の実績情報として記憶する。ここで、ユーザがコンテンツに到達するために用いた手段又は契機を示す情報としては、例えば、ユーザサイトのブックマークからアクセスしたとき、ユーザがＲＳＳ（RDF  Site  Summary）リーダからアクセスしたとき、印刷物、例えばポスターの二次元バーコードからアクセスしたときの、ＵＲＬ（Uniform  Resource  Locator）リクエストに含まれるパラメータ識別子、ユーザがサーチエンジンからアクセスしたときのリクエスト元ＵＲＬ、別のウェブサイトのウェブページ上に設けられた関連リンクからアクセスしたときのリクエスト元ＵＲＬの関連タグ（記述）等が挙げられるが、これらに限定されるものではない。
本発明においても、ユーザ視聴質ランク取得手段が備える取得処理部において、視聴質ランク取得用のアンケートについて受信した回答データに基づいて、コンテンツを要求したユーザの視聴質ランクを決定し取得できた場合に、ユーザ視聴質ランク取得手段が備える実績保存処理部が、その視聴質ランクに基づいて、到達方法視聴質ランク実績記憶手段に記憶されている実績情報を更新することで、到達方法視聴質ランク実績記憶手段に記憶される実績情報の質を高めることができる。
【００２７】
本発明によれば、ユーザ視聴質ランク取得手段は、ユーザ端末からの受信要求のＵＲＬリクエストに基づいて、コンテンツを受信要求したユーザがコンテンツに到達するために用いた手段又は契機を示す情報を取得し、取得した到達の手段又は契機を示す情報と到達方法視聴質ランク実績記憶手段に記憶されている実績情報とに基づいて、当該コンテンツを受信要求したユーザのユーザ視聴質ランクを決定しかつ取得する。上記到達方法視聴質ランク実績記憶手段が記憶する、視聴質ランク別の実績情報は、前記ユーザ端末による前記コンテンツの受信要求に先行した別の受信要求があったときに、アンケート送受信部が、視聴質ランク取得用のアンケートを別の受信要求をしたユーザ端末に送信し、そのアンケートに対してユーザ端末の操作により入力される回答データを受信し、実績保存処理部が、当該受信した回答データに基づいて別の受信要求をしたユーザの視聴質ランクを決定しかつ取得して、対応する視聴質ランクの累積アクセス件数をカウントアップさせた情報である。したがって、先行するアンケートの回答データによって質の高められた実績情報に基づいて、コンテンツを受信要求したユーザに効果的に広告データを送信することができる。
【００２８】
本発明によれば、広告システムは、ユーザ端末によって受信要求されるコンテンツに対応づけて、コンテンツがアクセス可能になった日又は日時又は時刻を示す情報を記憶する主題情報記憶手段と、コンテンツがアクセス可能になった日又は日時又は時刻とユーザ端末をユーザが操作してコンテンツを受信要求した日又は日時又は時刻との差分に対応づけて、そのコンテンツを受信要求したユーザの累積アクセス件数を、視聴質ランク別の実績情報として記憶する、到達時間視聴質ランク実績記憶手段と、をさらに備えている。
本発明においても、ユーザ視聴質ランク取得手段が備える取得処理部において、視聴質ランク取得用のアンケートについて受信した回答データに基づいて、コンテンツを要求したユーザの視聴質ランクを決定し取得できた場合に、ユーザ視聴質ランク取得手段が備える実績保存処理部が、その視聴質ランクに基づいて、到達時間視聴質ランク実績記憶手段に記憶されている実績情報を更新することで、到達時間視聴質ランク実績記憶手段に記憶される実績情報の質を高めることができる。
【００２９】
本発明によれば、ユーザ視聴質ランク取得手段は、主題情報記憶手段に記憶されたアクセス可能になった日又は日時又は時刻を示す情報を参照し、コンテンツがアクセス可能になった日又は日時又は時刻と前記コンテンツを受信要求した日又は日時又は時刻との差分を到達時間として求め、求めた到達時間と到達時間視聴質ランク実績記憶手段に記憶されている実績情報とに基づいて、コンテンツを受信要求したユーザのユーザ視聴質ランクを決定しかつ取得する。上記到達時間視聴質ランク実績記憶手段が記憶する、視聴質ランク別の実績情報は、前記ユーザ端末による前記コンテンツの受信要求に先行した別の受信要求があったときに、アンケート送受信部が、視聴質ランク取得用のアンケートを別の受信要求をしたユーザ端末に送信し、そのアンケートに対してユーザ端末の操作により入力される回答データを受信し、実績保存処理部が、当該受信した回答データに基づいて別の受信要求をしたユーザの視聴質ランクを決定しかつ取得して、対応する視聴質ランクの累積アクセス件数をカウントアップさせた情報である。したがって、先行するアンケートの回答データによって質の高められた実績情報に基づいて、コンテンツを受信要求したユーザに効果的に広告データを送信することができる。
【発明を実施するための最良の形態】
【００３０】
以下、本発明の実施の形態を図面に基づき説明する。
図１は、本発明を適用した実施の形態における広告システム１の概略構成を示す図である。図１に示すように、広告システム１は、ネットワーク１１を介して互いに接続されたユーザ端末１３、広告主端末１５及びアドサーバー２０により構成される。
【００３１】
ユーザ端末１３は、各種コンテンツを視聴するユーザの自宅等に設置される端末装置であって、具体的にはパーソナルコンピュータ、ＰＤＡ、携帯電話機、通信機能（双方向通信機能）を備えたテレビ受像器及びテレビ放送受信機等の各種機器である。ユーザ端末１３は、ウェブページを閲覧可能なウェブブラウザを搭載しており、当該ウェブブラウザの機能によって動画像のストリーミング配信を受信できる構成としても良い。
【００３２】
広告主端末１５は、アドサーバー２０による広告配信を依頼する広告主が使用する端末装置であって、パーソナルコンピュータ等であって、ウェブページを閲覧可能なウェブブラウザを搭載する。なお、広告主端末１５を操作する者は、広告を発注する広告主自身に限定されず、広告製作業務、広告代理業務、広告に係る各種仲介業務を行う業者または個人が、広告主に代わって広告主端末１５を操作することも勿論可能である。
【００３３】
アドサーバー２０は、ユーザ端末１３からのアクセスに応じて、所定の広告を出力するためのサーバ装置である。
なお、アドサーバー２０は、広告を含むウェブページのデータ等を直接ユーザ端末１３へ配信する処理の他、最初にユーザ端末１３が、他のサーバ装置（図示略）から送信されたアドサーバー２０が広告を読み出しに行くためのタグ（記述）を含んだウェブページを受信し、次いでユーザ端末１３から当該他のサーバ装置（図示略）へのリクエストがアドサーバー２０へリダイレクトされた場合に、アドサーバー２０がユーザ端末１３へ広告を送信する処理をも行うことが可能である。
【００３４】
図２は、アドサーバー２０の機能的構成を示すブロック図である。図２に示すように、アドサーバー２０は、広告制御情報入力処理部２１１、ユーザ視聴質ランク取得処理部２１２、広告制御処理部２１３、広告出力結果保存処理部２１４、及び広告出力結果確認処理部２１５の各処理部と、契約情報記憶部２２１、ユーザ視聴質ランク記憶部２２２、視聴質ランク実績記憶部２２３、ページ情報記憶部２２４、視聴質テーブル２２５、広告制御情報記憶部２２６及び広告出力結果記憶部２２７の各記憶部とを含む複数の機能部により構成され、これらの各機能部はバス２２８に接続される。
【００３５】
広告制御情報入力処理部２１１は、アドサーバー２０により広告を配信するための基本的な情報の入力を受け付ける処理を実行する。広告制御情報入力処理部２１１は、広告主が操作する広告主端末１５がネットワーク１１を介してアドサーバー２０にアクセスした場合に、後述する広告制御情報入力画面３０１（図６）又は広告制御情報入力画面３０２（図７）を用いて広告主端末１５において入力され、広告主端末１５からアドサーバー２０に送信される情報を取得し、契約情報記憶部２２１に記憶させる。
【００３６】
ユーザ視聴質ランク取得処理部２１２は、後述するユーザ視聴質ランク取得処理（図２０）を実行することにより、ユーザ端末１３を操作してアドサーバー２０にアクセスしたユーザの視聴質ランクを取得し、ユーザ視聴質ランク記憶部２２２に記憶させる。また、ユーザ視聴質ランク取得処理部２１２は、ページ情報記憶部２２４に記憶された情報に基づいて、当該ユーザの視聴質ランク実績値を求め、視聴質ランク実績記憶部２２３に記憶させる。
【００３７】
広告制御処理部２１３は、後述する広告制御処理（図２１）を実行することにより、ユーザ視聴質ランク記憶部２２２、視聴質テーブル２２５及び広告制御情報記憶部２２６に記憶された情報に基づいて、出力する広告を決定し、当該広告をユーザ端末１３によって出力させる。例えばユーザ端末１３がディスプレイを有する場合、当該ディスプレイ上に広告の画像を表示させる。
【００３８】
広告出力結果保存処理部２１４は、後述する広告出力結果保存処理（図２３）を実行することにより、視聴質テーブル２２５に記憶された情報に基づいて、広告出力結果記憶部２２７に広告出力結果を示す情報を記憶させ、或いは、広告出力結果記憶部２２７に記憶されている情報を更新する。
【００３９】
広告出力結果確認処理部２１５は、アドサーバー２０による広告配信を依頼した広告主が、広告主端末１５を用いてアドサーバー２０にアクセスし、広告出力結果を確認するための広告出力結果確認処理を実行する。広告出力結果確認処理においては、広告主端末１５によりアクセスした広告主が依頼した広告について、広告出力結果記憶部２２７に記憶された情報が読み出され、当該情報を所定のレイアウトで表示するためのデータが作成され、広告主端末１５へ送信される。
【００４０】
以上のように構成される広告システム１について、本実施の形態では、一例として、テレビ放送される番組に関連したウェブサイトを用意し、このウェブサイトにアクセスしたユーザに対して、当該ウェブサイトにおいて、番組の次回予告編等のコンテンツを視聴させるとともに、コンテンツ視聴に合わせて広告をユーザ端末に表示させる場合を例に挙げて説明する。なお、テレビ放送とは、地上波による放送、放送・通信衛星による放送、ＣＡＴＶ（ケーブルテレビ）による放送、ストリーミング配信技術等を利用して通信回線を介して行われる放送（いわゆるインターネット放送、ブロードバンド放送）のいずれをも含み、放送方式はデジタル方式であってもアナログ方式であっても良く、さらに、特定の日時に番組を放送する形態であっても良いし、視聴者の求めに応じて要求された番組を放送するオンデマンド放送であっても良い。
【００４１】
ここで、本発明を適用した広告システム１における視聴質について説明する。
広告システム１においては、視聴質を広告効果の尺度とする。視聴質とは、本発明に従いユーザ端末によって受信要求されたコンテンツ自体あるいは受信要求されたコンテンツに関連付けた放送番組、映画、演劇、演奏、又はイベントに対する個々のユーザの関心の度合を示すものである。例えば、テレビ放送される番組に関連するウェブページ上のコンテンツが受信要求されたとき、当該受信要求されたコンテンツ自体、或いは当該受信要求されたコンテンツに関連付けた番組自体に対するユーザの関心の度合が、ユーザ視聴質となる。換言すれば、視聴質は、テレビ放送される番組に関連するウェブページ上のコンテンツがユーザ端末によって受信要求されたときに、その受信要求されたのが当該番組の提供前にあっては、番組に対する期待度、その受信要求されたのが番組の提供後にあっては、番組への満足度、番組がユーザに与えた影響度を示す度合となり得る。従って、視聴質が低いユーザが広告を閲覧した場合よりも、視聴質が高いユーザが広告を閲覧した場合の方が、より広告効果が高いといえる。
【００４２】
そこで、広告システム１においては、広告主から依頼された広告をユーザの閲覧に供する場合に、下記式（１）に示す演算によって、視聴質と広告表示回数を乗じてＧＱＰ（Gross
Quality Point：のべ視聴質）を算出し、ＧＱＰを広告効果の尺度として用いる。
【００４３】
ＧＱＰ＝視聴質ポイント（ＱＰ：Quality Point）×広告表示回数  ・・・（１）
【００４４】
上記式において、視聴質ポイントとは各ユーザの視聴質を示す値である。広告システム１においては、一例として、ユーザの視聴質を５段階にランク付け（Ａ，Ｂ，Ｃ，Ｄ，Ｅ）する。
上記式（１）に示す演算を行う場合は、上記５段階のランクに応じた数値を視聴質ポイントとして設定する。
【００４５】
例えば、ランクＡの視聴質ポイントを１．５ＱＰとし、ランクＢの視聴質ポイントを１．２５ＱＰとし、ランクＣの視聴質ポイントを１．０ＱＰとし、ランクＤの視聴質ポイントを０．７５ＱＰとし、ランクＥの視聴質ポイントを０．５ＱＰとする。この例では、ランクＡのユーザに広告を表示した場合の広告効果は、ランクＥのユーザに広告を表示した場合の３倍であると評価されることになる。
【００４６】
そして、広告主がある広告の表示を依頼する場合、所望の広告効果を得るために必要なだけのＧＱＰを指定する。広告システム１においては、ユーザ端末１３を操作するユーザに対して、広告主が指定したＧＱＰに達するまでその広告を表示する。また、広告主が支払う広告料金は、基本的に、広告主が指定したＧＱＰに応じて決定される。
【００４７】
図３のＧＱＰ−表示回数関連図３５１に一例として示すように、３ＧＱＰ分の広告を行うためには、ランクＡ（ＱＰ＝１．５）のユーザが対象であれば２回表示し、ランクＣ（ＱＰ＝１．０）のユーザが対象であれば３回表示し、ランクＥ（ＱＰ＝０．５）のユーザが対象であれば６回表示することになる。
【００４８】
ここで、ＧＱＰの値が指定された場合の広告表示回数について、図４及び図５を参照して説明する。
図４には、ＧＱＰの値と広告表示回数の相関を示す図表として、特定のランクのユーザに対してのみ広告を表示する場合のＧＱＰ−表示回数関連表３５２を示す。
また、図５には、ＧＱＰの値と広告表示回数の相関を示す図表として、同図（ａ）に広告を表示するユーザのランクが特定のランクに限定されない場合のＧＱＰ−表示回数関連表３５３を示し、同図（ｂ）に、（ａ）と同様にユーザのランクが特定のランクに限定されないが、表示結果平均視聴質が指定された場合のＧＱＰ−表示回数関連表３５４を示す。
【００４９】
図４に示すＧＱＰ−表示回数関連表３５２、及び、図５に示すＧＱＰ−表示回数関連表３５３，３５４には、広告表示設定区分、広告表示設定値、広告表示結果の各項目が配され、このうち広告表示結果は、視聴質ランクごと表示結果回数、表示結果回数（回）の合計、表示結果（ＧＱＰ）の合計、表示結果金額（円）の合計、表示結果平均視聴質度合（％）からなる。
【００５０】
広告表示設定区分は、広告を表示する場合に、広告の表示回数等を決定する基準を示す。例えば、図４のＧＱＰ−表示回数関連表３５２及び図５（ａ）のＧＱＰ−表示回数関連表３５３では、ＧＱＰを基準とするものと設定され、図５（ｂ）のＧＱＰ−表示回数関連表３５４では広告の表示回数を基準とするものと設定される。
広告表示設定値は、広告表示設定区分に設定された基準の具体的な数値を示す。例えば、図４のＧＱＰ−表示回数関連表３５２では、基準となるＧＱＰの値が１５，０００に設定されている。
【００５１】
広告表示結果は、ユーザに対して広告を表示した結果を示すものである。
このうち、視聴質ランクごと表示結果回数は、ユーザに広告を表示した回数（表示結果回数）を、ユーザのランク毎に示す。
表示結果回数（回）の合計は、ユーザに広告を表示した回数の合計を示す。
表示結果（ＧＱＰ）の合計は、ユーザに広告を表示したことによるＧＱＰの合計を示し、ユーザのランク毎の表示結果回数に各ランクの視聴質ポイント（ＱＰ）を乗じて合計することにより求められる。
表示結果金額（円）の合計は、広告主が支払う広告料金を示す。
【００５２】
表示結果平均視聴質度合（％）は、視聴質ランクごと表示結果回数に基づいて求められた視聴質度合の平均値である。具体的には、視聴質ランクごと表示結果回数に各視聴質ランクに対応する視聴質度合を乗じて、全表示結果回数で除算することで求められる。
【００５３】
上述のように、この例では、ランクＡの視聴質ポイントを１．５ＱＰとし、ランクＢの視聴質ポイントを１．２５ＱＰとし、ランクＣの視聴質ポイントを１．０ＱＰとし、ランクＤの視聴質ポイントを０．７５ＱＰとし、ランクＥの視聴質ポイントを０．５ＱＰとしている。ここでランクＣの視聴質ポイントを１００％として各ランクの視聴質ポイントを百分率で表せば、ランクＡは１５０％、ランクＢは１２５％、ランクＤは７５％、ランクＥは５０％となる。ここでは一例として、この百分率表現された値を視聴質度合と呼ぶ。
視聴質度合を用いることにより、広告を表示した対象ユーザの視聴質ランクの高低が分かり易いという利点がある。従って、表示結果平均視聴質度合（％）の値により、広告を表示した対象ユーザが高ランク側に偏っているか、低ランク側に偏っているか等を容易に把握できる。
【００５４】
図４のＧＱＰ−表示回数関連表３５２に示すように、１５，０００ＧＱＰの広告を、ランクＡのユーザに対してのみ表示するのであれば、表示回数は１０，０００回となる。また、ランクＢのユーザに対してのみ表示するのであれば、表示回数は１２，０００回となり、ランクＣのユーザに対してのみ表示するならば表示回数は１５，０００回となる。ランクＤのユーザにのみ広告を表示するならば表示回数は２０，０００回となり、ランクＥのユーザにのみ広告を表示するならば表示回数は３０，０００回となる。
また、広告料金は、ＧＱＰを単位として設定されるので、広告を表示する対象のユーザのランクに関係なく、広告料金（表示結果金額）は同額である。
【００５５】
図５（ａ）に示すＧＱＰ−表示回数関連表３５３には、１０，０００ＧＱＰ分の広告を、複数のランクのユーザに対して表示する例を挙げる。ＧＱＰ−表示回数関連表３５３の２つのケースのうち、一つのケースでは、ランクＡのユーザに５００回、ランクＢのユーザに２，５００回、ランクＣのユーザに４，０００回、ランクＤのユーザに２，５００回、ランクＥのユーザに５００回広告を表示して、１０，０００ＧＱＰ分の広告とする。
また、もう一方のケースでは、ランクＡのユーザに１，０００回、ランクＢのユーザに３，０００回、ランクＣのユーザに４，０００回、ランクＤのユーザに１，０００回広告を表示して、ランクＥのユーザには広告を表示せず（０回）、１０，０００ＧＱＰ分の広告とする。
【００５６】
これら２通りのケースでは、ＧＱＰはいずれも１０，０００であるものの、表示結果平均視聴質度合は、前者が６０％であるのに対し、後者は６９％である。このため、前者のケースの方が、よりランクの高いユーザに対して多く広告が表示されたことがわかる。
【００５７】
また、広告システム１においては、広告主が広告表示結果を回数で指定することができる。この場合、ユーザの視聴質ランクが制限されなければ広告効果にバラつきが生じてしまうが、表示結果平均視聴質度合の値を指定することにより、広告を表示する対象のユーザの視聴質ランクをある程度制限することが可能となり、広告主が期待する広告効果を得やすい。
図５（ｂ）のＧＱＰ−表示回数関連表３５４には、広告表示設定区分を回数とし、その回数を１０，０００回に指定した場合の２つのケースを示す。一方のケースにおいては、ランクＡ〜Ｅの各ランクのユーザに対し、均等に２，０００回ずつ広告が表示される。もう一方のケースでは、ランクＡのユーザに５００回、ランクＢのユーザに２，５００回、ランクＣのユーザに４，０００回、ランクＤのユーザに２，５００回、ランクＥのユーザに５００回、広告が表示される。
【００５８】
ＧＱＰ−表示回数関連表３５４における前者のケースでは、表示結果平均視聴質度合は６０％と求められる。一方、後者のケースでも、表示結果平均視聴質度合は６０％と求められる。
【００５９】
図４及び図５に示すように、広告システム１においては、広告主が所望の広告効果を得るために、様々な方法で広告の表示回数等の条件を指定できるので、広告主のニーズに合った広告を行うことができる。また、広告システム１を運営する広告事業者においては、広告主が指定した条件を遵守し、広告主が望む広告効果を確保できるようにしながら、ユーザの視聴質ランクごとの表示回数等、表示方法を任意に決定できる。これにより、広告媒体を有効に、効率良く利用しながら、広告主のニーズに応えることができる。
【００６０】
図６は、広告システム１において、広告制御情報入力処理部２１１（図２）による処理が行われる際に、広告主端末１５の表示画面（図示略）上に表示される広告制御情報入力画面３０１の一構成例を示す図である。
【００６１】
広告制御情報入力画面３０１は、広告主が広告主端末１５を操作して、広告を依頼する際に必要な各種情報を入力するための画面である。
広告制御情報入力画面３０１には、利用者ＩＤや広告アドレス等の情報を入力するための入力エリアと、広告の表示回数等を指定するための広告表示設定エリアが配される。
ここで、利用者ＩＤは、広告主端末１５を操作して広告を依頼する広告主に割り当てられた固有のＩＤであり、利用者ＩＤによって広告主を特定できるようになっている。また、広告アドレスは、広告に用いる画像等のデータの格納場所を示すＵＲＬ（Uniform
Resource Locator）である。
【００６２】
広告制御情報入力画面３０１の広告表示設定エリアにおいては、図４及び図５を参照して説明した広告表示設定区分（ＧＱＰ、回数、金額、期間、番組）を選択入力することができ、さらに、選択した広告表示設定区分について設定値（ＧＱＰ値、広告表示回数、広告表示予算、広告表示掲載期間、番組ページＩＤ、番組名）を入力できる。
【００６３】
なお、広告主端末１５を操作する広告主が、広告を表示する対象のユーザの視聴質ランク等についても指定したい場合は、広告制御情報入力画面３０１の下部に配された、広告表示条件入力エリアを用いれば良い。広告制御情報入力画面３０１の広告表示条件入力エリアには、広告を表示する対象ユーザの視聴質ランクを指定するためのチェックボックスが設けられ、ここでチェックが付された視聴質ランクのユーザに対してのみ、広告を表示させることができる。なお、図６に示すように、広告表示条件入力エリアにおける入力は、あくまでオプションである。従って、広告主端末１５の操作により広告表示条件入力エリアにおける入力が行われなかったとしても、広告表示設定エリアにおける入力内容のみに基づいて広告を依頼することが可能である。
【００６４】
さらに、広告主端末１５においては、図７に示す広告制御情報入力画面３０２を利用することも可能である。広告制御情報入力画面３０２には、広告制御情報入力画面３０１と同様に、利用者ＩＤ、広告データの格納場所を示すＵＲＬ等を入力するための入力エリアと、広告表示設定エリアと、広告表示条件入力エリアとが配される。
【００６５】
広告制御情報入力画面３０２の広告表示設定エリアにおいては、広告表示設定区分（ＧＱＰ、回数、金額）を選択できるようになっている。また、広告制御情報入力画面３０２の広告表示条件エリアには、対象ユーザの視聴質ランクを指定するためのチェックボックスが設けられる。さらに、広告制御情報入力画面３０２の広告表示設定エリアには、図４及び図５を参照して説明した平均視聴質度合を入力するための入力ボックスが配され、後述する広告制御処理（図２１，図２２）では、入力された平均視聴質度合に従って広告が表示される。
なお、図６の広告制御情報入力画面３０１と同様、広告表示条件入力エリアにおける入力は、あくまでオプションである。
【００６６】
そして、広告制御情報入力画面３０１（図６）又は広告制御情報入力画面３０２（図７）において入力された情報は、広告主端末１５からアドサーバー２０（図１）に送信され、アドサーバー２０の契約情報記憶部２２１（図２）に記憶される。
【００６７】
図８は、契約情報記憶部２２１（図２）のレコードフォーマットの一例を示す図である。
図８に示すように、契約情報記憶部２２１には、広告主の利用者ＩＤ及び契約Ｎｏ．に対応づけて、広告表示設定区分、広告表示設定値、広告表示条件区分、広告表示条件値、広告アドレス、契約日時等が記憶される。契約Ｎｏ．は、一つの広告依頼に対して付与される番号である。例えば一人の広告主が３つの広告を依頼した場合、依頼ごとに個別の契約Ｎｏ．が付される。従って、契約情報記憶部２２１においては、一つの広告依頼につき一つのレコードが作成され、情報が記憶される。
広告システム１は、契約情報記憶部２２１に記憶されたレコードに基づいて、ユーザ端末１３を操作するユーザに対して広告を表示する。
【００６８】
例えば、図８に示す契約Ｎｏ．０００１の例では、広告表示設定区分がＧＱＰに設定され、広告表示設定値が「１０，０００ＧＱＰ」に設定され、広告表示条件値はＡ〜Ｅの全ての視聴質ランクに設定されている。従って、契約Ｎｏ．０００１の広告は、ユーザの視聴質ポイントの合計値が「１０，０００ＧＱＰ」に達するまで、視聴質ランクを問わず全てのユーザに表示される。
また、図８に示す契約Ｎｏ．００１２の例では、広告表示設定区分が番組ページＩＤ及び期間に設定されている。広告表示設定値は、番組ページＩＤが「ＰＲＧ０００１」に設定され、期間が２００４年４月１日から２００４年４月７日に設定されている。従って、契約Ｎｏ．００１２の広告は、設定された期間内に、番組ページＩＤ「ＰＲＧ０００１」のウェブページにアクセスしたユーザに対して表示される。
【００６９】
図９は、ユーザ視聴質ランク記憶部２２２（図２）のレコードフォーマットの一例を示す図である。
【００７０】
図９に示すユーザ視聴質ランク記憶部２２２は、後述するユーザ視聴質ランク取得処理（図２０）によって取得されたユーザの視聴質ランクを記憶する。
ユーザ視聴質ランク記憶部２２２には、ユニークユーザ識別子、番組ページＩＤ、視聴質収集日時、ユーザ視聴質ランクが対応づけて記憶される。
【００７１】
ユニークユーザ識別子は、ユーザ端末１３を操作してアドサーバー２０にアクセスするユーザに対して割り当てられた固有の識別情報である。各ユーザは、ユーザ端末１３又は他の装置（図示略）によってアドサーバー２０にアクセスする際、同一のユニークユーザ識別子を用いるので、ユニークユーザＩＤによりユーザを特定できる。
番組ページＩＤは、ユーザ端末１３に対して送信される、番組に関するウェブページ（番組ページ）に、各々付与された固有の識別情報であり、番組ページＩＤによってそのウェブページを特定できる。
視聴質収集日時は、ユーザ視聴質ランク取得処理（図２０）によってユーザの視聴質ランクが取得された日時を示す。
ユーザ視聴質ランクは、ユーザ視聴質ランク取得処理（図２０）によって取得されたユーザの視聴質ランクである。
【００７２】
このように、ユーザ視聴質ランク記憶部２２２には、あるユーザがある日時に番組ページの閲覧を要求した場合の視聴質ランクが、ユーザを特定する情報、番組ページを特定する情報及び日時に対応づけて記憶される。
【００７３】
次に、視聴質ランク実績記憶部２２３におけるレコードフォーマットについて説明する。視聴質ランク実績記憶部２２３は、ユーザが選択・要求したコンテンツの分類、又は、ユーザがコンテンツを要求した日時と放送時間との前後に基づいて、ユーザの視聴質ランクを決定するための情報を記憶しており、ユーザ視聴質ランク取得処理（図２０）において参照される。
【００７４】
図１０は、視聴質ランク実績記憶部２２３（図２）のレコードフォーマットの一例を示す図である。図１０に示す例は、特に、コンテンツ分類に基づいて視聴質ランクを決定するための情報を記憶する場合を示す。
【００７５】
図１０に示す例においては、ユーザ端末１３の操作により選択されるコンテンツの分類と、各分類に対する視聴質ランクの実績値とが対応づけて記憶される。視聴質ランクの実績値とは、当該分類のコンテンツを選択・要求したユーザの数（アクセス数）を、視聴質ランク毎に集計した値である。
例えば、図１０中、「予告」の分類に対応する実績は、視聴質ランクＡが２０，３４３回、視聴質ランクＢが７，８３８回、視聴質ランクＣが３，２３６回、視聴質ランクＤが２６３回、視聴質ランクＥが２０１回となっている。つまり、「予告」の分類に属するコンテンツを選択したアクセスが全部で３１，８８１回あり、そのうち２０，３４３回が視聴質ランクＡのユーザによるアクセスであったことになる。従って、今後、「予告」の分類に属するコンテンツを選択したユーザがいた場合、そのユーザの視聴質ランクは、高い確率でＡであると予想される。このことから、選択されたコンテンツの分類に基づいて、ユーザの視聴質ランクを高い的中率で予測することができる。
【００７６】
図１１は、視聴質ランク実績記憶部２２３（図２）レコードフォーマットの別の例を示す図である。図１１に示す例も、図１０に示す例と同様、コンテンツ分類に基づいて視聴質ランクを決定するための情報を記憶する場合の例である。
図１１に示す例においては、ユーザ自らが感想・意見または自己主張を投稿することのできる２つのコンテンツの分類（BBS，Weblog）と、番組ページを閲覧したユーザを対象とする利得情報を含むコンテンツが分類されている。ユーザ自らが投稿するコンテンツとは、電子掲示板（ＢＢＳ（Bulletin  Board  System））、ブログ（Weblog）等であって、ユーザ自らが番組についての感想・意見や自己主張を特定のあるいは不特定の第三者に向けて発信することを可能とする番組ページ上のコンテンツをいう。また、利得情報を含むコンテンツとは、番組に関連する商品（例えば番組内で使われた音楽、挿入歌のＣＤ、催し物の参加チケット等）の懸賞応募、予約・購入の申込を受け付ける番組ページ上のコンテンツをいう。番組がユーザに与えた影響度が高ければ高いほど、ユーザによってこれらのコンテンツが選択・要求される確率が高いと考えられるため、選択されたコンテンツの分類に基づいて、ユーザの視聴質ランクを高い的中率で予測することに役立つ。
この例においても、図１０に示す例と同様、ユーザ端末１３の操作により選択されるこれらのコンテンツの分類と、各分類に対する視聴質ランクの実績値とが対応づけて記憶される。
なお、図１０、図１１中に示すコンテンツの各分類はあくまで例示であり、限定的なものではなく、番組内容、番組ページの構成、視聴質ランク実績値を取りたいコンテンツの範囲等に応じて適宜変更が可能である。
【００７７】
図１２は、視聴質ランク実績記憶部２２３（図２）のレコードフォーマットのさらに別の例を示す図である。図１２に示す例は、特に、放送時間の前後に基づいて視聴質ランクを決定するための情報を記憶する場合を示す。
【００７８】
図１２に示す例においては、放送前後時間の区分と、各区分に対する視聴質ランクの実績値とが対応づけて記憶される。視聴質ランクの実績値とは、当該区分においてコンテンツを選択・要求したユーザの数（アクセス数）を、視聴質ランク毎に集計した値である。
例えば、図１２中、「２日前」の区分に対応する実績は、視聴質ランクＡが５２５回、視聴質ランクＢが１，０２３回、視聴質ランクＣが１０，９８１回、視聴質ランクＤが２５回、視聴質ランクＥが３２回となっている。一方、「放送日」の区分に対応する実績は、視聴質ランクＡが１６，７７６回、視聴質ランクＢが３，０８２回、視聴質ランクＣが２，９９２回、視聴質ランクＤが７３回、視聴質ランクＥが１４回となっている。
従って、番組の放送時間とアクセスのタイミングとの関係については、放送２日前にアクセスしたユーザの多くが視聴質ランクＣのユーザであるのに対し、放送当日にアクセスしたユーザは、多くが視聴質ランクＡのユーザであることがわかる。このことから、番組の放送時間とユーザがアクセスしたタイミングとに基づいて、ユーザの視聴質ランクを高い的中率で予測することができる。
【００７９】
なお、図１２に示す例においては、番組の放送日時とユーザのアクセス日時とを比較し、「２日前」、「１日前」、「放送日」等に区分して視聴質ランクに対応づける構成としたが、これはあくまで一例である。例えば、番組の放送日時に代えて、番組を記録した記録媒体または番組の映像データ自体の発売日時、ペイパービュー方式等における番組の発売日時、オンデマンド放送等における番組の視聴開始日時、番組の予告映像等の放送日時や視聴開始日時若しくは配布日等と、ユーザのアクセス日時とを比較するようにしても良いし、１日単位ではなく、１乃至数時間単位で、或いは分を単位として比較を行い、視聴質ランクと対応づける構成としても良い。
【００８０】
また、図１０、図１１及び図１２に示す視聴質ランク実績記憶部２２３に記憶される視聴質ランク実績値は、アドサーバー２０においてユーザ視聴質ランク取得処理（図２０）が実行され、ユーザに対するアンケートに基づいて視聴質ランクが取得されるごとに、当該アンケートの結果に基づいて更新される。
【００８１】
図１３は、ページ情報記憶部２２４（図２）のレコードフォーマットの一例を示す図である。
ページ情報記憶部２２４には、ユーザ端末１３へ送信される番組ページに関する情報が記憶される。図１３に示す例では、番組ページＩＤ、番組名、当該番組ページの有効期間を示すページ有効期間、番組放送日、当該番組ページにおいて選択可能な各コンテンツのコンテンツＩＤ、コンテンツ名、及びコンテンツ分類が、それぞれ対応づけて記憶される。
【００８２】
図１４は、視聴質テーブル２２５（図２）の構成例を示し、同図（ａ）は視聴質テーブル２２５に含まれる視聴質ポイントテーブル２２５ａのレコードフォーマットの一例を示し、（ｂ）は視聴質テーブル２２５に含まれる視聴質単価テーブル２２５ｂのレコードフォーマットの一例を示し、（ｃ）は視聴質テーブル２２５に含まれる視聴質度合テーブル２２５ｃのレコードフォーマットの一例を示す。
【００８３】
図１４（ａ）に示す視聴質ポイントテーブル２２５ａは、視聴質ランクと、視聴質ポイント（ＱＰ）の値とが対応づけられたテーブルである。視聴質ポイントテーブル２２５ａは、視聴質ランクに基づいて、視聴質ポイント（ＱＰ）やＧＱＰを演算処理する場合等に参照される。
図１４（ｂ）に示す視聴質単価テーブル２２５ｂは、視聴質ランクと、単価（円）とが対応付けられたテーブルであり、視聴質ランクに基づいて広告料金を演算処理する場合等に参照される。
図１４（ｃ）に示す視聴質度合テーブル２２５ｃは、視聴質ランクと視聴質度合（％）とが対応づけられたテーブルである。
【００８４】
なお、図１４（ａ）〜（ｃ）に示す視聴質ポイントテーブル２２５ａ、視聴質単価テーブル２２５ｂ、及び視聴質度合テーブル２２５ｃにおける具体的な設定値はあくまで一例であって、広告システム１の用途や目的、運用形態、ビジネス上の都合等により適宜変更可能である。
【００８５】
図１５は、広告制御情報記憶部２２６（図２）のレコードフォーマットの一例を示す図である。
図１４に示すように、広告制御情報記憶部２２６は、広告の依頼毎に、契約Ｎｏ．、広告アドレス、広告表示設定区分、広告表示可能視聴質ランク、広告表示値、表示残を対応づけて記憶する。このうち、契約Ｎｏ．、広告アドレス、広告表示設定区分は、契約情報記憶部２２１（図８）に記憶された情報に基づいて得られる情報である。また、広告表示可能視聴質ランクは、契約情報記憶部２２１に記憶される広告表示条件値に基づき設定され、広告表示値は、契約情報記憶部２２１に記憶される広告表示設定値に基づき設定される。さらに、表示残は、広告表示設定区分及び広告表示値に基づいて算出される表示回数、ＧＱＰ又は金額から、既に表示された回数、ＧＱＰ又は金額を減じた値である。
なお、図１５の契約Ｎｏ．０００９〜００１１の例では、契約情報記憶部２２１において広告表示設定区分として平均視聴質度合が設定されているため（図８）、広告表示回数を視聴質ランク毎に設定及び記録している。この例のように、広告表示設定区分として平均視聴質度合が設定された場合、平均視聴質度合が設定された値になるよう、広告を表示する毎に、視聴質ランクを加味した演算処理等を行う必要がある。そこで、広告システム１においては、広告表示設定区分として平均視聴質度合が設定された場合に、設定された平均視聴質度合に基づいて各視聴質ランクの表示回数を算出し、算出した回数を各視聴質ランクの広告表示値として広告制御情報記憶部２２６に設定し、その後は単なる減算処理により広告表示を制御できるようにしている。この処理については、図１７を参照して後述する。
【００８６】
図１６は、広告出力結果記憶部２２７（図２）のレコードフォーマットの一例を示す図である。
図１６に示すように、広告出力結果記憶部２２７は、広告の依頼毎に、契約Ｎｏ．、表示結果視聴質ランク毎の表示結果回数、表示結果ＧＱＰ、表示結果金額、表示結果平均視聴質度合の各情報を記憶する。
従って、広告出力結果記憶部２２７を参照することにより、依頼された広告について、ユーザの視聴質ランク別の表示回数や、広告の表示に係るＧＱＰの合計、広告料金の基礎となる金額の合計、平均視聴質度合等の情報が得られる。
【００８７】
図１７は、アドサーバー２０において実行される広告表示回数配分処理を示すフローチャートである。
図１７に示す広告表示回数配分処理は、広告主端末１５を操作する広告主により指定された平均視聴質度合に従って広告を表示するため、広告制御情報入力画面３０２（図７）において入力された平均視聴質度合に沿うように、視聴質ランク毎の広告表示回数を決定する処理である。広告表示条件区分として平均視聴質度合が指定された場合、アドサーバー２０は、指定された平均視聴質度合を満たしながら、指定されたＧＱＰに達するまで広告を表示する。ここで、ユーザの視聴質ランクによって視聴質ポイントが異なることから、指定されたＧＱＰと平均視聴質度合の両方を満たすように広告を表示するためには、予め、視聴質ランクごとに、広告を表示する回数を求めておく方法が、最も効率が良い。これは、広告表示設定区分として金額が指定された場合にも同様である。
【００８８】
そこで、アドサーバー２０は、図１７に示す広告表示回数配分処理を実行し、指定された条件に基づいて、視聴質ランク毎の表示回数を定め、ここで定めた回数に従って広告を表示する。
【００８９】
図１７に示す広告表示回数配分処理を実行する時には、契約情報記憶部２２１（図８）に記憶された広告表示設定区分、広告表示設定値、及び、平均視聴質度合に関する広告表示条件値が入力される。
【００９０】
まず、ステップＳ１０１において、広告表示設定区分が判別される。
広告表示設定区分が回数である場合、アドサーバー２０は、ステップＳ１０２に移行して、総度合を示すパラメータｃを設定し、広告表示設定値に広告表示条件値を乗じた値をパラメータｃの値とする。
続いて、アドサーバー２０は、ステップＳ１０３に移行して、総回数を示すパラメータｄを設定し、広告表示設定値の値をパラメータｄの値として、後述するステップＳ１１０に移行する。
【００９１】
また、ステップＳ１０１において、広告表示設定区分がＧＱＰであった場合、アドサーバー２０はステップＳ１０４に移行して、視聴質度合テーブル２２５ｃ（図１４（ｃ））の基準度合を視聴質ポイントテーブル２２５ａ（図１４（ａ））の基準ＱＰ値で除算した商を、１ＱＰ当りの度合として設定する。なお、基準度合とは中間の視聴質ランク（ここではランクＣ）に対応する度合であり、基準ＱＰ値とは中間の視聴質ランクに対応する視聴質ポイント（ＱＰ）の値である。なお、基準度合及び基準ＱＰ値は、必ずしも中間の視聴質ランクに対応していなくても良く、例えば最も多くのユーザが属する視聴質ランクに対応する度合と視聴質ポイントを、それぞれ基準度合と基準ＱＰ値としても良い。
続いて、アドサーバー２０はステップＳ１０５に移行し、総度合を示すパラメータｃを設定し、広告表示設定値に１ＱＰ当りの度合を乗じた値をパラメータｃの値とする。
さらに、アドサーバー２０はステップＳ１０６に移行して、総回数を示すパラメータｄを設定し、ステップＳ１０５で設定した総度合の値を広告表示条件値で除算した商を、パラメータｄの値として、後述するステップＳ１１０に移行する。
【００９２】
また、ステップＳ１０１において、広告表示設定区分が金額であった場合、アドサーバー２０はステップＳ１０７に移行して、視聴質度合テーブル２２５ｃ（図１４（ｃ））の基準度合を視聴質単価テーブル２２５ｂ（図１４（ｂ））の基準単価で除算した商を、１円当りの度合として設定する。なお、基準単価とは中間の視聴質ランク（ここではランクＣ）に対応する単価である。
続いて、アドサーバー２０はステップＳ１０８に移行し、総度合を示すパラメータｃを設定し、広告表示設定値に１円当りの度合を乗じた値をパラメータｃの値とする。
さらに、アドサーバー２０はステップＳ１０９に移行して、総回数を示すパラメータｄを設定し、ステップＳ１０８で設定した総度合の値を広告表示条件値で除算した商を、パラメータｄの値として、後述するステップＳ１１０に移行する。
【００９３】
ステップＳ１１０において、アドサーバー２０は、広告表示条件値として設定された平均視聴質度合と一致する度合が、視聴質度合テーブル２２５ｃにあるか否かを判別する。
そして、一致する度合が視聴質度合テーブル２２５ｃにある場合、アドサーバー２０はステップＳ１１１に移行して、総度合を示すパラメータｃの値を一致した度合で除算し、その商を、視聴質度合テーブル２２５ｃにおいて一致した視聴質ランクの広告表示値として、広告制御情報記憶部２２６（図１５）に設定する。例えば、広告表示条件値として設定された平均視聴質度合が１００％であった場合、この度合は、視聴質度合テーブル２２５ｃにおける視聴質ランクＣの度合と一致するので、視聴質ランクＣのユーザに対する広告表示回数として、パラメータｃの値を１００％で除算した商を設定する。
【００９４】
続いて、アドサーバー２０は、ステップＳ１１２に移行して、総度合を示すパラメータｃの値を一致した度合で除算し、その商を、視聴質度合テーブル２２５ｃにおいて一致した視聴質ランクの表示残として、広告制御情報記憶部２２６に設定する。
【００９５】
その後、アドサーバー２０は、ステップＳ１１３に移行して、広告制御情報記憶部２２６の広告表示設定区分を回数に設定し、本処理を終了する。
【００９６】
一方、ステップＳ１１０において、一致する度合が視聴質度合テーブル２２５ｃに無い場合、アドサーバー２０はステップＳ１１４に移行して、直近度合上を示すパラメータａを設定し、広告表示条件値より大きい度合のうち、広告表示条件値に最も近い度合をパラメータａの値とする。
続いて、アドサーバー２０はステップＳ１１５に移行して、直近度合下を示すパラメータｂを設定し、広告表示条件値より小さい度合のうち、広告表示条件値に最も近い度合をパラメータｂの値とする。
【００９７】
そして、アドサーバー２０はステップＳ１１６に移行し、下記式（２）に示す連立方程式の解（ｘ，ｙ）を求める演算処理を行う。
なお、下記式（２）において、ａ，ｂ，ｃ，ｄは、いずれも本広告表示回数配分処理において設定されたパラメータである。
【００９８】
ａｘ＋ｂｙ＝ｃ
ｘ＋ｙ＝ｄ      ・・・（２）
【００９９】
その後、アドサーバー２０はステップＳ１１７に移行して、ステップＳ１１６で求めた解ｘ，ｙが整数であるか否かを判別する。ここで、解ｘ，ｙが整数であった場合、アドサーバー２０は後述するステップＳ１１９に移行する。
【０１００】
また、ステップＳ１１７において解ｘ，ｙが整数でなかった場合、アドサーバー２０はステップＳ１１８に移行して、解ｘについては小数点以下を切り上げる処理を行い、解ｙについては小数点以下を切り捨てる処理を行い、整数の解ｘ，ｙを得て、ステップＳ１１９に移行する。
【０１０１】
ステップＳ１１９において、アドサーバー２０は、広告制御情報記憶部２２６において直近度合上（パラメータａ）に該当する視聴質ランクについて、広告表示値をｘとする。
次に、アドサーバー２０はステップＳ１２０に移行して、広告制御情報記憶部２２６において直近度合上（パラメータａ）に該当する視聴質ランクの表示残をｘとする。
【０１０２】
続いて、アドサーバー２０はステップＳ１２１に移行し、広告制御情報記憶部２２６において直近度合下（パラメータｂ）に該当する視聴質ランクについて、広告表示値をｙとする。
さらに、アドサーバー２０はステップＳ１２２に移行して、広告制御情報記憶部２２６において直近度合下（パラメータｂ）に該当する視聴質ランクについて、表示残をｙとして、ステップＳ１１３に移行する。
【０１０３】
以上の広告表示回数配分処理によって、広告表示条件区分が平均視聴質度合によって指定された場合であっても、その条件が視聴質ランク毎の回数の条件に変換され、広告制御情報記憶部２２６において視聴質ランク毎の広告表示値として設定される。これにより、後述する広告制御処理（図２１，図２２）等において、複雑な演算を行うことなく、高速かつ効率よく処理できるという利点がある。
【０１０４】
図１８は、図１に示す広告システム１の動作を示すフローチャートであり、特に、広告主から依頼された広告を表示する動作を示す。
図１８に示すように、まず、ユーザがユーザ端末１３を操作してテレビ（例えば、地上波アナログ放送）の番組のウェブサイトにアクセスすると、アドサーバー２０又は他のサーバ装置（図示略）から番組ページデータ３３１がユーザ端末１３へ送信され、ユーザ端末１３には、番組のウェブページが表示される（ステップＳ１１）。
【０１０５】
続いて、ユーザがユーザ端末１３を操作して、表示中のウェブページに配されたリンクを選択することにより、コンテンツ（例えば、予告編の映像ストリーミング）を選択すると（ステップＳ１２）、当該コンテンツの受信要求とともに、ユニークユーザ識別子、番組ページＩＤ、及び選択されたコンテンツのコンテンツＩＤがアドサーバー２０に送信され、アドサーバー２０においては、ユーザ視聴質ランク取得処理（ステップＳ２１）が開始される。
【０１０６】
ユーザ視聴質ランク取得処理は、ユーザ端末１３を操作するユーザの視聴質ランクを決定するための処理であって、ユーザ視聴質ランク取得処理部２１２（図２）により実行される。ユーザ視聴質ランク取得処理において、ユーザ視聴質ランク取得処理部２１２は、ユーザ端末１３に対して視聴質アンケートを行うためのデータを送信し、ユーザ端末１３の画面（図示略）上に表示させる（ステップＳ１３）。そして、ユーザがアンケートの回答を入力すると（ステップＳ１４）、入力された回答が視聴質アンケート結果としてアドサーバー２０に送信される。ユーザ視聴質ランク取得処理部２１２は、視聴質アンケート結果をもとにユーザの視聴質ランクを決定し、決定したユーザ視聴質ランク記憶部２２２に記憶させる。
【０１０７】
その後、アドサーバー２０は、広告制御処理部２１３（図２）によって広告制御処理（ステップＳ２２）を実行する。広告制御処理において、広告制御処理部２１３は、ユーザ視聴質ランク記憶部２２２に記憶されたユーザの視聴質ランク及び広告制御情報記憶部２２６（図２）に記憶された情報等に基づいて、ユーザ端末１３を操作するユーザに対して表示させる広告を決定し、当該広告の広告アドレスをユーザ端末１３に送信し、ユーザ端末１３のアクセスをリダイレクトする。
これにより、ユーザ端末１３は、アドサーバー２０又は他のサーバ装置（図示略）に記憶された広告データ３３２を受信して広告を表示し（ステップＳ１５）、その後、アドサーバー２０又は他のサーバ装置（図示略）からコンテンツデータ３３３を受信して、コンテンツを表示する（ステップＳ１６）。
【０１０８】
一方、アドサーバー２０においては、広告制御処理部２１３による広告制御処理の後、広告出力結果保存処理部２１４によって、広告出力結果保存処理（ステップＳ２３）が実行される。この広告出力結果保存処理は、広告制御処理により広告が表示された結果に基づいて、広告出力結果記憶部２２７に記憶された広告表示結果に関する情報を更新する処理である。
【０１０９】
また、広告システム１は、図１８のステップＳ２１に示すユーザ視聴質取得処理において、アンケートを用いない方法を用いることもできる。
図１９は、広告システム１の動作の別の例を示す図である。図１９に示す動作は、ユーザ視聴質ランク取得処理部２１２が実行するユーザ視聴質ランク取得処理（ステップＳ２１）において、アンケートを送受信することなく、ユーザ視聴質ランク記憶部２２２及び視聴質ランク実績記憶部２２３を参照してユーザ視聴質ランクを取得する点で、図１８の処理と異なる。
【０１１０】
すなわち、ステップＳ１２において、ユーザ端末１３の操作によりコンテンツが選択され、ユーザ端末１３からアドサーバー２０に対して、ユニークユーザ識別子、番組ページＩＤ、コンテンツＩＤが送信されると、ユーザ視聴質ランク取得処理部２１２は、ステップＳ２１において、視聴質ランク実績記憶部２２３及びページ情報記憶部２２４に記憶された情報をもとに、ステップＳ１２において選択されたコンテンツの分類、或いは、番組の放送時間とコンテンツが要求されたタイミング（時刻）の前後に基づいて、ユーザ視聴質ランクを取得し、ユーザ視聴質ランク記憶部２２２に記憶する。
【０１１１】
図２０は、図１８及び図１９のステップＳ２１においてアドサーバー２０により実行されるユーザ視聴質ランク取得処理を、より詳細に示すフローチャートである。
このユーザ視聴質ランク取得処理の実行に際して、ユーザ視聴質ランク取得処理部２１２（図２）には、図１８及び図１９に示したように、ユーザ端末１３を操作してアクセスしたユーザのユニークユーザ識別子、ユーザ端末１３により表示される番組ページを示す番組ページＩＤ、及び、ユーザ端末１３の操作により選択されたコンテンツのコンテンツＩＤが入力される。
【０１１２】
ユーザ視聴質ランク取得処理において、ユーザ視聴質ランク取得処理部２１２は、視聴質ランクの取得方法を判別する（ステップＳ３１）。広告システム１においては、ユーザの視聴質ランクを取得する方法として、アンケートにおけるユーザの回答に基づいて決定する方法（図１８）と、ユーザがユーザ端末１３を操作して要求したコンテンツの分類によって決定する方法（図１９）と、番組の放送時間及びユーザがコンテンツを要求したタイミング（時刻）の前後に基づいて決定する方法（図１９）とを用いることができる。
【０１１３】
ユーザの視聴質ランクを取得する方法としてアンケートを用いる場合、ユーザ視聴質ランク取得処理部２１２は、ユーザ端末１３からのアクセスが、当該ユーザ端末１３を操作するユーザの初回アクセスであるか否かを判別する（ステップＳ３２）。
【０１１４】
当該ユーザの初回アクセスであった場合（ステップＳ３２；Ｙｅｓ）、ユーザ視聴質ランク取得処理部２１２は、ユーザ端末１３に対して視聴質アンケートを行うためのデータを送信する（ステップＳ３３）。そして、ユーザがユーザ端末１３においてアンケートの回答を入力し、入力された回答が視聴質アンケート結果としてアドサーバー２０に送信されると、ユーザ視聴質ランク取得処理部２１２は、送信された視聴質アンケート結果を受信して（ステップＳ３４）、後述するステップＳ４０へ移行する。
一方、ステップＳ３２において、ユーザ端末１３からのアクセスが当該ユーザの初回アクセスでないと判別した場合、ユーザ視聴質ランク取得処理部２１２はステップＳ４０へ移行する。
【０１１５】
また、ステップＳ３１において、視聴質ランクを取得する方法としてコンテンツの分類に基づく方法を用いる場合、ユーザ視聴質ランク取得処理部２１２は、番組のウェブページが表示された状態でユーザ端末１３の操作により選択され、受信要求されたコンテンツについて、コンテンツの分類を示す情報を、ページ情報記憶部２２４（図１３）から読み出して取得する（ステップＳ３５）。続いて、ユーザ視聴質ランク取得処理部２１２は、取得した分類に対応する視聴質ランクを、視聴質ランク実績記憶部２２３（図１０、図１１）から読み出して取得し（ステップＳ３６）、ステップＳ４０へ移行する。
【０１１６】
さらに、ステップＳ３１において、視聴質ランクを取得する方法として放送時間の前後を用いる場合、ユーザ視聴質ランク取得処理部２１２は、番組のウェブページが表示された状態でユーザ端末１３の操作により選択され、受信要求されたコンテンツに関連する番組のテレビ放送日（又は日時）を、ページ情報記憶部２２４（図１３）から取得する（ステップＳ３７）。
そして、ユーザ視聴質ランク取得処理部２１２は、取得した放送日（又は日時）と、ユーザがコンテンツを要求した日、時刻又は日時とを比較することにより、コンテンツの要求と放送時間との前後関係（時間の前後及び時間差）を算出し（ステップＳ３８）、算出した前後関係に従って視聴質ランク実績記憶部２２３（図１２）に記憶された情報を参照し、視聴質ランクを取得して（ステップＳ３９）、ステップＳ４０に移行する。
【０１１７】
ステップＳ４０において、ユーザ視聴質ランク取得処理部２１２は、取得したユーザ視聴質ランクを保存が必要か否かを判別し、保存の必要がない場合は後述するステップＳ４５へ移行する。また、ユーザ視聴質ランクの保存が必要な場合、ユーザ視聴質ランク取得処理部２１２は、ステップＳ４１に移行して、再び視聴質ランクの取得方法を判別する。
【０１１８】
ここで、視聴質ランクの取得方法がアンケート以外の方法であった場合（ステップＳ４１；Ｎｏ）、ユーザ視聴質ランク取得処理部２１２は、取得した視聴質ランクをユーザ視聴質ランク記憶部２２２に記憶させ（ステップＳ４２）、後述するステップＳ４５へ移行する。
【０１１９】
また、視聴質ランクの取得方法としてアンケートを用いた場合（ステップＳ４１；Ｙｅｓ）、ユーザ視聴質ランク取得処理部２１２は、ユーザ端末１３からのアクセスが当該ユーザの初回アクセスであったか否かを判別し（ステップＳ４３）、初回アクセスであった場合は、取得した視聴質ランクをユーザ視聴質ランク記憶部２２２（図９）へ記憶させ（ステップＳ４４）、ステップＳ４５へ移行する。一方、ユーザ端末１３からのアクセスが当該ユーザの初回アクセスでなかった場合（ステップＳ４３；Ｎｏ）、ステップＳ４５へ移行する。
【０１２０】
ステップＳ４５において、ユーザ視聴質ランク取得処理部２１２は、視聴質ランク実績の保存が必要か否かを判別し、保存の必要がない場合は、そのまま本処理を終了する。
視聴質ランク実績の保存が必要な場合、ユーザ視聴質ランク取得処理部２１２は、視聴質ランクを取得するために用いた方法がアンケートであるか否かを判別し（ステップＳ４６）、アンケート以外の方法を用いた場合は、本処理を終了する。
【０１２１】
視聴質ランクを取得するためにアンケートを用いた場合（ステップＳ４６；Ｙｅｓ）、ユーザ視聴質ランク取得処理部２１２は、視聴質ランク実績の保存方法を決定する（ステップＳ４７）。
【０１２２】
コンテンツ分類について視聴質ランク実績を保存する場合、ユーザ視聴質ランク取得処理部２１２は、ページ情報記憶部２２４を参照して、ユーザ端末１３の操作により選択されたコンテンツのコンテンツ分類を取得し（ステップＳ４８）、視聴質ランク実績記憶部２２３（図１０）において、取得したコンテンツ分類と取得したユーザ視聴質ランクとに該当する視聴質ランク実績値をカウントアップして（ステップＳ４９）、本処理を終了する。
【０１２３】
また、放送時間の前後について視聴質ランク実績を保存する場合、ユーザ視聴質ランク取得処理部２１２は、ページ情報記憶部２２４を参照して、ユーザ端末１３の操作により選択・要求されたコンテンツに関連する番組のテレビ放送日（又は日時）を、ページ情報記憶部２２４（図１３）から取得し（ステップＳ５０）、取得した放送日（又は日時）と、ユーザがコンテンツを要求した日、時刻又は日時とを比較することにより、コンテンツの要求と放送時間との前後関係を算出し（ステップＳ５１）、視聴質ランク実績記憶部２２３（図１２）において、算出した前後関係と取得したユーザ視聴質ランクに該当する視聴質ランク実績値をカウントアップし（ステップＳ５２）、本処理を終了する。
【０１２４】
ステップＳ４７〜Ｓ５２の処理は、コンテンツ分類による視聴質ランクの決定方法、及び、放送時間とアクセス時間の前後による視聴質ランクの決定方法を用いる場合に参照される視聴質ランク実績記憶部２２３の情報を、アンケートにより得られたユーザ視聴質ランクをもとに、更新する処理である。
ユーザの視聴質は、ユーザ自身の関心度等の個人的な状態に影響されるので、アンケートのようにユーザに直接問いかけを行う方法によって、より的確な視聴質ランクを判定することができる。そして、ステップＳ４７〜Ｓ５２の処理により、アンケートにより得られた結果を、コンテンツ分類や放送時間の前後により視聴質ランクを判定する場合の基準に反映させることができるので、アンケートの結果を効率よく利用できるという利点がある。
【０１２５】
図２１は、図１８のステップＳ２２においてアドサーバー２０により実行される広告制御処理を、より詳細に示すフローチャートである。
アドサーバー２０の広告制御処理部２１３（図２）は、ユーザ視聴質ランク記憶部２２２（図９）に記憶されたユーザ視聴質を取得し（ステップＳ６１）、取得したユーザ視聴質ランクに対応するレコードを広告制御情報記憶部２２６（図１５）から取得する（ステップＳ６２）。
【０１２６】
広告制御情報記憶部２２６に該当するレコードが存在し、当該レコードを取得できた場合（ステップＳ６３；Ｙｅｓ）、広告制御処理部２１３は、取得したレコードに従ってユーザ端末１３に広告を表示させ（ステップＳ６４）、ステップＳ６５に移行する。
また、広告制御情報記憶部２２６に該当するレコードが存在しない場合（ステップＳ６３；Ｎｏ）、広告制御処理部２１３は本処理を終了する。
なお、ステップＳ６３において取得可能なレコードが複数存在した場合には、契約Ｎｏ．の順序や予め定められた優先順位等に従って、いずれかのレコードを優先して取得するようにしても良い。
【０１２７】
ステップＳ６５において、広告制御処理部２１３は、ステップＳ６２で取得したレコードにおける広告表示設定区分を判定し、広告表示設定区分が回数であった場合は、広告制御情報記憶部２２６の該当するレコードにおいて、当該ユーザ視聴質ランクの表示残に、１を減じた値を設定し（ステップＳ６６）、本処理を終了する。
【０１２８】
また、ステップＳ６５において、広告表示設定区分がＧＱＰであった場合、視聴質テーブル２２５（図２）内の視聴質ポイントテーブル２２５ａ（図１４（ａ））を参照して、ステップＳ６１で取得したユーザ視聴質ランクに該当する視聴質ポイントの値を取得する（ステップＳ６７）。そして、広告制御処理部２１３は、広告制御情報記憶部２２６の該当するレコードにおいて、当該ユーザ視聴質ランクの表示残に、現在のＧＱＰ値からステップＳ６７で取得した視聴質ポイントを減じた値を設定し（ステップＳ６８）、本処理を終了する。
【０１２９】
ステップＳ６５において、広告表示設定区分が金額であった場合、視聴質テーブル２２５（図２）内の視聴質単価テーブル２２５ｂ（図１４（ｂ））を参照して、ステップＳ６１で取得したユーザ視聴質ランクに該当する単価を取得する（ステップＳ６９）。そして、広告制御処理部２１３は、広告制御情報記憶部２２６の該当するレコードにおいて、当該ユーザ視聴質ランクの表示残に、現在の金額からステップＳ６９で取得した金額を減じた値を設定し（ステップＳ７０）、本処理を終了する。
【０１３０】
以上の広告表示制御処理によって、広告システム１は、広告制御情報記憶部２２６に記憶された複数の広告を、各広告の制御情報に沿うように、ユーザ端末１３の画面（図示略）上に表示させる。
【０１３１】
なお、広告制御情報記憶部２２６における広告表示設定区分が期間または番組ページＩＤに設定されている場合は、図２１に示す処理に代えて、図２２に示す広告制御処理を実行する。
【０１３２】
図２２の広告制御処理においては、広告制御情報記憶部２２６（図１５）における表示残に係る減算を行わない。すなわち、アドサーバー２０の広告制御処理部２１３（図２）は、ユーザ視聴質ランク記憶部２２２（図９）に記憶されたユーザ視聴質を取得し（ステップＳ７１）、取得したユーザ視聴質ランクに対応するレコードを広告制御情報記憶部２２６から取得する（ステップＳ７２）。
ここで、広告制御情報記憶部２２６に該当するレコードが存在し、当該レコードを取得できた場合（ステップＳ７３；Ｙｅｓ）、広告制御処理部２１３は、取得したレコードに従ってユーザ端末１３に広告を表示させ（ステップＳ７４）、本処理を終了する。
【０１３３】
広告表示設定区分として期間又は番組ページＩＤが設定されている場合、広告表示の回数については制限されないため、広告表示値を設定したり、減算したりする必要がない。そこで、図２２に示すように、単に広告を表示させる処理を行って、後述する広告表示結果保存処理（図２３）において結果を保存することが、より重要となる。
【０１３４】
そして、図２１，図２２に示す広告制御処理が終了すると、広告制御処理部２１３により、ステップＳ６１で取得したユーザ視聴質ランク、及び、ステップＳ６２で取得したレコードの契約Ｎｏ．が出力される。
【０１３５】
図２３は、図１８のステップＳ２３においてアドサーバー２０により実行される広告出力結果保存処理を、より詳細に示すフローチャートである。
広告出力結果保存処理の実行に際して、広告出力結果保存処理部２１４（図２）には、広告制御処理（図２１，図２２）の終了時に出力されたユーザ視聴質ランク及び契約Ｎｏ．が入力される。
【０１３６】
広告出力結果保存処理部２１４は、広告出力結果記憶部２２７において、入力されたユーザ視聴質ランク及び契約Ｎｏ．に該当する表示結果回数を検出し、カウントアップする（ステップＳ８１）。
【０１３７】
その後、広告出力結果保存処理部２１４は、パラメータwk_QPを設定し、視聴質ポイントテーブル２２５ａ（図１４（ａ））において、入力されたユーザ視聴質ランクに該当する視聴質ポイントの値を、パラメータwk_QPの値とする（ステップＳ８２）。
【０１３８】
広告出力結果保存処理部２１４は、広告出力結果記憶部２２７において、入力された契約Ｎｏ．に該当する表示結果ＧＱＰを検出し、パラメータwk_QPの値だけカウントアップする（ステップＳ８３）。
【０１３９】
さらに、広告出力結果保存処理部２１４は、パラメータwk_VALを設定し、視聴質単価テーブル２２５ｂ（図１４（ｂ））において、入力されたユーザ視聴質ランクに該当する単価を、パラメータwk_VALの値とする（ステップＳ８４）。
そして、広告出力結果保存処理部２１４は、広告出力結果記憶部２２７において、入力された契約Ｎｏ．に該当する表示結果金額を検出し、パラメータwk_VALの値だけカウントアップする（ステップＳ８５）。
【０１４０】
次に、広告出力結果保存処理部２１４は、パラメータwk_DEG[A〜E]を設定し、視聴質度合テーブル２２５ｃ（図１４（ｃ））から、設定されている全視聴質ランクの度合を取得する（ステップＳ８６）。
【０１４１】
さらに、広告出力結果保存処理部２１４は、パラメータwk_CNT[A〜E]を設定し、広告出力結果記憶部２２７において、当該契約Ｎｏ．に該当する表示結果視聴質ランクの表示結果回数を取得する（ステップＳ８７）。
【０１４２】
そして、広告出力結果保存処理部２１４は、視聴質ランク毎に、度合×回数（wk_DEG×wk_CNT）の演算処理を実行し、視聴質ランク毎の度合の合計を求める。さらに、パラメータwk_CNT[A〜E]を加算することによって全視聴質ランクの表示結果回数の合計を求める。そして、求めた表示結果回数の合計によって、視聴質ランク毎の度合の合計を除算し、その商を広告出力結果記憶部２２７において当該契約Ｎｏ．に対応する表示結果平均視聴質度合として設定し（ステップＳ８８）、本処理を終了する。
【０１４３】
図２４は、本実施の形態において広告主端末１５（図１）の画面（図示略）上に表示される広告出力結果画面３０３の構成例を示す図である。図２４に示す広告出力結果画面３０３は、広告を依頼した広告主が広告の表示状況を参照するための画面である。広告出力結果画面３０３を表示する場合は、アドサーバー２０が画面データを生成し、当該画面データを広告主端末１５へ送信し、当該画面データに基づいて広告主端末１５が表示処理を行う。
【０１４４】
図２４に示すように、広告出力結果画面３０３には、契約情報記憶部２２１（図８）、広告制御情報記憶部２２６（図１５）及び広告出力結果記憶部２２７（図１６）において、広告主端末１５を操作する広告主の利用者ＩＤに対応づけて記憶された情報が、契約Ｎｏ．毎に表示される。
すなわち、契約Ｎｏ．に対応づけて、広告表示設定区分、広告表示設定値、視聴質ランク毎の表示結果回数、表示結果回数の合計、表示結果ＧＱＰの合計、表示結果金額の合計、表示結果平均視聴質度合の各情報が表示される。
【０１４５】
なお、図１７に示す広告表示回数配分処理を実行した場合、広告制御情報記憶部２２６における広告表示設定区分は回数に変更される。この場合、広告出力結果画面３０３には、契約情報記憶部２２１に記憶された広告表示設定区分が表示される。
【０１４６】
広告を依頼した広告主は、広告主端末１５を操作して広告表示結果画面３０３を参照することにより、依頼した広告の状況を容易に確認できる。
【０１４７】
図２５は、図１に示すユーザ端末１３の表示画面上に表示されるアンケート表示フォーマット３０４の構成例を示す図である。
図１８のステップＳ１３においては、アンケート表示フォーマット３０４のようなアンケートが表示される。なお、図２５のアンケート表示フォーマット３０４には、視聴質ポイントとなる数値が表示されているが、この数値が表示されない構成としても良い。
【０１４８】
図２６は、図１に示すユーザ端末１３の表示画面上に表示される広告表示イメージの構成例を示す図であり、番組ページ表示イメージ３０５、広告表示イメージ３０６、コンテンツ表示イメージ３０７、及び提供者ページ表示イメージ３０８の各図の構成例を示す。
【０１４９】
図１８のステップＳ１１において、ユーザ端末１３の画面（図示略）上には、番組ページ表示イメージ３０５が表示される。番組ページ表示イメージ３０５は、テレビ放送番組「サムライ・ロード」のウェブページであり、「次回予告」、「前回までのあらすじ」、「キャスト」、「用語集」等の各種コンテンツを選択するためのリンクボタンが配置されている。
【０１５０】
番組ページ表示イメージ３０５の表示中に、ユーザがユーザ端末１３を操作して、「次回予告」のリンクボタンをクリックすると、ユーザ端末１３は、アドサーバー２０に対して「次回予告」の送信を要求する。
この要求に応じて、アドサーバー２０又は他のサーバ装置（図示略）から広告主端末１５へ広告データ３３２（図１８）が送信され、ステップＳ１５（図１８）においてユーザ端末１３の画面上に広告表示イメージ３０６が表示される。
【０１５１】
広告表示イメージ３０６には、「○○○株式会社」の広告が略中央に配置される。
そして、広告表示イメージ３０６が所定の時間表示された後、ユーザ端末１３に対して送信されたコンテンツデータ３３３（図１８）に基づいて、ユーザ端末１３は、コンテンツ表示イメージ３０７を画面上に表示する。
【０１５２】
コンテンツ表示イメージ３０７は、番組ページ表示イメージ３０５において選択されたコンテンツ「次回予告」である。
なお、コンテンツ表示イメージ３０７の表示中において、画面左端には、「○○○株式会社」の広告へのリンクボタンが配される。このリンクボタンがクリックされると、ユーザ端末１３の画面上には、さらなる広告として提供者ページ表示イメージ３０８が表示され、ユーザに対して広告が表示される。なお、提供者ページ表示イメージ３０８には、コンテンツ表示イメージ３０７の表示に復帰するためのリンクボタン「戻る」が配される。
【０１５３】
以上のように、本発明の実施の形態における広告システム１によれば、ユーザ端末１３を操作するユーザの視聴質ランクすなわちユーザの関心度に応じて、ユーザ端末１３に広告を表示させるので、効率よく高い広告効果を得ることができる。
【０１５４】
また、ユーザの視聴質ランクを取得する方法として、アンケートを用いた場合は、ユーザ端末を操作するユーザに直接的な意思表示を行わせることにより、ユーザの正確な視聴質ランクを取得できる。一方、ユーザの視聴質ランクを取得する際に視聴質ランク実績記憶部２２３（図１０，図１１，図１２）を用いれば、ユーザがユーザ端末１３を操作してコンテンツを要求するだけで、ユーザの視聴質ランクを取得できる。従って、視聴質ランクを取得するためのユーザの操作を省くことにより、ユーザの利便性を向上させ、さらには広告に対するユーザの関心を低下させないという効果が得られる。
【０１５５】
さらに、ユーザの視聴質ランクを取得する方法としてアンケートを用いた場合に、アンケートの結果に基づいて取得した視聴質ランクをもとに、視聴質ランク実績記憶部２２３の情報を更新するので、視聴質ランク実績記憶部２２３に記憶される情報の質を高めユーザの視聴質ランクを取得する場合の確度を、より一層向上させることができる。
また、視聴質ランク実績記憶部２２３（図１２）に基づいて、ユーザ端末１３からコンテンツが要求されたタイミングと番組の放送時間との前後関係から視聴質ランクを取得する場合は、上述した効果に加え、ユーザの視聴質を簡単かつ確実に取得することができる。これは、放送される番組に関連するコンテンツを要求するユーザについては、コンテンツを要求するタイミングと番組及びコンテンツに関する関心度すなわち視聴質とが、一定の関連を有する場合が多いからである。
【０１５６】
さらに、広告システム１においては、広告表示設定区分として、広告表示回数だけでなく、ＧＱＰや金額を用いることができる。これにより、ＧＱＰや金額は広告の表示回数とユーザの視聴質ランクとに対応する。このため、広告システム１においては、広告を表示する期間を、ユーザの視聴質ランクと広告の表示回数との両方に基づいて決めることができるので、実際の広告効果に合った尺度に基づいて広告を行うことができる。これにより、効率よく広告を行うことができる上、的確な広告効果が期待できる。
【０１５７】
また、広告システム１においては、広告主端末１５を操作する広告主によって表示結果平均視聴質度合が指定された場合に、指定された表示結果平均視聴質度合を維持するように、ユーザ端末１３に広告が表示される。このため、広告を表示する対象のユーザの視聴質ランクが一定のレベルに保たれるので、例えば、関心の低いユーザに対して多数の広告を表示してしまい、広告料金がかさむといった事態を確実に防止し、広告主が望む広告効果を的確に得ることができる。
【０１５８】
さらに、広告システム１においては、広告表示設定区分としてＧＱＰや金額が指定された場合に、これらＧＱＰや金額に基づいて、広告表示回数配分処理（図１７）を実行して、広告表示設定区分を視聴質ランク毎の表示回数に変換することも可能である。これにより、多数のユーザ端末１３からのアクセスに対して、高速かつ的確な処理を行える。
【０１５９】
また、例えば広告表示設定区分として期間及び番組ページＩＤが指定された場合、該当する期間内に当該番組ページにアクセスした全てのユーザに広告が表示されるが、広告を表示したユーザの視聴質ランクは、広告出力結果記憶部２２７に記録される。これにより、広告を表示した後に、視聴質ランクに基づいて広告効果を正確に分析し、評価することができる。これにより、広告を依頼する広告主にとっては、広告に係る費用対効果を的確に判断することができ、広告を受注する事業者にとっては、適正な広告料金を設定することができる等の利点があり、広告に関わるいずれの立場においても、効率よく適正な広告が行えるようになる。
【０１６０】
上記の実施の形態では、テレビ放送される番組を媒体として広告を行う場合に、番組に関連したウェブページを用意する例を説明したが、本発明の広告方法は、広告をテレビ番組に関連付ける場合に限定されるものではなく、ラジオ放送される番組、劇場公開される映画、演劇、演奏その他のイベント、情報提供サイト（例えばニュースサイト）で提供される最新情報や特集情報のコンテンツ、その他のユーザの関心度に応じて広告を表示させることによる高い広告効果が期待される様々な放送番組、イベント、コンテンツに広告を関連付ける場合にも、適用することが可能である。従って、本発明において視聴質は、ユーザがラジオ番組を聴取する、映画や演劇を観る、演奏を聴く、情報提供サイトのコンテンツを閲覧する等の場合に、当該ラジオ番組等に対するユーザの関心の度合も含む。
【０１６１】
また、上記の実施の形態では、ユーザのコンテンツ視聴に合わせて広告データ３３２を送信し、ユーザ端末１３に広告を表示させる場合を説明したが、広告データはユーザ端末１３に表示させる画像データに限定されるものではなく、アドサーバー２０又は他のサーバ装置（図示せず）に音声データを記憶させ、ユーザ端末１３において音声データを受信し、スピーカ等を通じて音声を出力させても良い。
【０１６２】
次に、広告システム１のさらに別の例について説明する。以下の広告システム１の例では、視聴質の対象が、あるウェブサイト上で提供される一つ又は複数のコンテンツそのものであり、かつ、ユーザの視聴質ランクを取得する方法として、アンケートにおけるユーザの回答に基づいて決定する方法、ユーザがユーザ端末１３を操作して要求したコンテンツの分類によって決定する方法に加えて、（ａ）後述する到達時間に基づいて決定する方法と、（ｂ）後述する到達方法に基づいて決定する方法と、（ｃ）後述するユーザの閲覧度合に基づいて決定する方法とを用いている点で、図１８、図１９に示す動作と相違する。ここでは、一例として、ニュースサイトにおいて最新経済ニュースをコンテンツとして提供し、ニュースサイトにアクセスしたユーザに当該コンテンツを閲覧させるとともに、そのコンテンツ閲覧に合わせて広告を表示する場合を説明する。
【０１６３】
到達時間とは、ウェブサイト上に視聴質対象のコンテンツが提供（アップロード）された日又は日時又は時刻と、ユーザが当該ウェブサイト上のコンテンツに到達（アクセス）した日又は日時又は時刻との差分をいう。例えば、コンテンツをウェブサイト上にアップロードした時刻をｔ１、ユーザが当該コンテンツにアクセスした時刻ｔ２とすると、両時刻を比較したときの差分（ｔ２−ｔ１）に従い、到達時間が「３０分以内」、「１時間以内」、「６時間以内」、「２４時間以内」、「４８時間以内」等に区分される。そして、到達時間の区分と、各区分に対する視聴質ランクの実績値とが対応づけられて、視聴質ランク実績記憶部２２３（図２）に記憶される。到達時間は、到達時間が短いときは当該コンテンツに対するユーザの関心度が高く、逆に到達時間が長いときはユーザの関心度が低いと仮定できるため、ユーザの視聴質ランクを取得するうえで有用な情報となりうるものである。
【０１６４】
なお、ページ情報記憶部２２４には、ニュースサイトのページに関する情報が記憶されている。すなわち、ページ情報記憶部２２４には、ニュースサイドのページＩＤ、コンテンツ名（最新経済ニュース）、コンテンツの有効期間、コンテンツのアップロード時刻、並びに、当該ニュースの関連ニュース記事や用語、読者が自ら投稿する感想・意見または自己主張等についてのコンテンツＩＤ、コンテンツ名、及びコンテンツ分類等が、それぞれ対応づけて記憶されている。
【０１６５】
到達方法とは、ユーザがウェブサイト上のコンテンツに到達（アクセス）するために用いた手段又は契機をいう。目的とするウェブサイト或いはウェブサイト上のコンテンツに対するユーザのアクセスを容易にするための様々な技術的工夫がなされ、現に利用されている。例えば、ユーザが加入するインターネット接続サービスのプロバイダーによってユーザサイトが提供され、当該ユーザサイト上で特定のウェブサイトをブックマーク（Bookmark）として登録することができるサービスがある。また、ＲＳＳ（RDF  Site  Summary。ウェブサイトの見出しや要約等のメタデータを構造化して記述するＸＭＬベースのフォーマット。Rich  Site  Summary、Really  Simple  Syndicationとも呼ばれる。）で記述された情報を、ＲＳＳリーダによって、ウェブサイトの更新情報として取得することができる。さらに、周知のとおり、いわゆるサーチエンジンと呼ばれるポータルサイトにアクセスし、目的とするウェブサイトやコンテンツのＵＲＬをヒットさせることも、別のウェブサイトのウェブページ上に設けられた関連リンクから、目的のウェブサイトにアクセスさせることもできる。また、読者のアクセスを促進するために、印刷物（雑誌、書籍、ポスター等）に、目的とするウェブサイトのＵＲＬが印刷され、或いは当該ＵＲＬ情報を含む二次元バーコードが印刷されている場合がある。例えばブックマークへの登録や、ＲＳＳへの登録は、そのウェブサイトやコンテンツに対するユーザの期待度、関心度が高いほど利用される傾向にあると考えられる。従って、これらのアクセス容易化、促進のためのサービスないしツールは、当該ウェブサイト上のコンテンツに対するユーザの関心度に応じて適宜選択的に又はこれらを組み合わせて利用され、或いはウェブサイト上のコンテンツにユーザの関心を惹きつける契機となると仮定できるので、到達方法はユーザの視聴質ランクを取得するうえで有用な情報となりうるものである。
【０１６６】
図２７は、視聴質ランク実績記憶部２２３（図２）のレコードフォーマットのさらに別の例を示す図であり、特に、到達方法に基づいて視聴質ランクを決定するための情報を記憶する場合を示す。図２７に示すように、到達方法の区分と、各到達方法に対する視聴質ランクの実績値とが対応づけられて、視聴質ランク実績記憶部２２３（図２）に記憶される。
【０１６７】
ユーザ端末１３から目的とするウェブサイト上のコンテンツにアクセスしたときの到達方法は、ユーザ端末１３から当該ウェブサイトに送信されるＵＲＬリクエストパラメータ、又はリクエスト元ＵＲＬ、又はリクエスト元ＵＲＬの関連タグ（記述）に基づいて、識別することができる。例えば、ユーザサイトのブックマークからアクセスしたときには、当該ユーザサイトから、ブックマークからのアクセスであることを示すパラメータを含むＵＲＬリクエストが送信されるようにする。
【０１６８】
いま、目的とするウェブサイトのＵＲＬをhttp://aaa.comとすると、ユーザがユーザサイトのブックマークからアクセスしたときは、ＵＲＬリクエスト「http://aaa.com?trigger=BMK」が送信される。ここで、「trigger=」はパラメータ識別子、「BMK」はブックマークからのアクセスを示す値である。
【０１６９】
また、ユーザがＲＳＳリーダからアクセスしたときは、パラメータ識別子の値としてＲＳＳリーダからのアクセスを示す値「RSS」を含むＵＲＬリクエスト「http://aaa.com?trigger=RSS」が送信される。同様に、印刷物、例えばポスターの二次元バーコードからアクセスしたときは、パラメータ識別子の値としてポスターからのアクセスを示すパラメータ値「POSTER」を含むＵＲＬリクエスト「http://aaa.com?trigger=POSTER」が送信され、雑誌に掲載されたＵＲＬからアクセスしたときは、パラメータ識別子の値として雑誌からのアクセスを示す値「MAGAZINE」を含むＵＲＬリクエスト「http://aaa.com?trigger=
MAGAZINE」が送信される。
従って、アドサーバー２０では、受信したパラメータ識別子の値を用いて到達方法を識別することができる。
【０１７０】
また、ユーザがサーチエンジン（そのＵＲＬをhttp://bbb.comとする）からアクセスしたときは、当該サーチエンジンのＵＲＬ「http://bbb.com」がリクエスト元ＵＲＬとして通知されるので、アドサーバー２０では、受信したリクエスト元ＵＲＬに基づいて到達方法を識別することができる。さらに、ユーザが、別のウェブサイト（http://ccc.com）のウェブページ上に設けられた関連リンクからアクセスしたときは、リクエスト元ＵＲＬ（http://ccc.com）の関連タグによって、到達方法を識別することができる。
【０１７１】
次に、ユーザの視聴質ランクを取得する方法として、ユーザの閲覧度合に基づいて決定する方法を説明する。ここで、閲覧度合とは、コンテンツを全て閲覧又は聴取又は視聴するのに要する時間とユーザがコンテンツを閲覧又は聴取又は視聴した実時間との関係に関する情報であり、ここでは一例として閲覧度合を以下のとおり定義する。
【０１７２】
閲覧度合＝（ユーザ閲覧時間）／（１００％閲覧所要時間）  ・・・（３）
但し、視聴質対象のコンテンツがテキスト又は静止画像の場合
【０１７３】
閲覧度合＝（ユーザ再生時間）／（１００％再生所要時間）  ・・・（４）
但し、視聴質対象のコンテンツが音声又は動画の場合
【０１７４】
（３）式の閲覧度合は、視聴質対象のコンテンツ（テキスト又は静止画像）の１００％閲覧に要するであろう時間と、ユーザが当該コンテンツを実際に閲覧した時間との比率を求めるものである。１００％閲覧所要時間は、例えばウェブサイトのコンテンツページに対応するＨＴＭＬファイルに含まれる文字数と画像数とをカウントすることにより、通常のユーザがコンテンツ全てを閲覧するのに要するであろう時間を算出することができる。また、ユーザ閲覧時間は、コンテンツへのアクセス時間（ユーザがアクセスを開始した時刻から終了した時刻まで）を計測することにより求めることができる。
【０１７５】
一方、（４）式の閲覧度合は、視聴質対象のコンテンツ（音声又は動画）の１００％再生に要するであろう時間と、ユーザが当該コンテンツを実際に再生した時間との比率を求めるものである。１００％再生時間は、例えばＭＰＥＧ−２（Moving  Picture  Experts  Group  Phase  2）、ＭＰＥＧ−４（Moving  Picture  Experts  Group  Phase  4）、ＭＰ３（MPEG-1  Audio  Layer  3）等のフォーマットの動画又は音声ファイルに含まれる情報フレームから、１００％再生に要する時間を取得することができる。また、ユーザ再生時間は、例えば、ユーザ端末１３が動画又は音声データを再生可能なプレイヤーを搭載しているときに、ウェブサイトから動画又は音声ファイルをダウンロードし、プレイヤーによって再生するときには、当該プレイヤーの再生動作が行われた時間であり、その実時間をユーザ端末１３において一時的に記録し、後でアドサーバー２０に送信することができる。なお、ウェブサイトから動画又は音声データがストリーミングされ、プレイヤーによって再生するときには、サーバ側でストリーミングのセッション開始時刻と終了時刻とがわかるので、そのセッション時間を利用しても良い。
【０１７６】
コンテンツがユーザの要求や好奇心を満たす内容であればあるほど、そのユーザはコンテンツの内容をすべて閲覧、視聴又は閲読する傾向にあると考えられる。従って、閲覧度合は、閲覧度合が高いときは当該コンテンツに対するユーザの関心度が高く、逆に閲覧度合が低いときはユーザの関心度が低いと仮定できるため、ユーザの視聴質ランクを取得するうえで有用な情報となりうるものである。
なお、閲覧度合について、上記（３）式又は（４）式によって求めた比率は例示であってこれに限定されるものではなく、視聴質対象のコンテンツの１００％閲覧に要するであろう時間とユーザが当該コンテンツを実際に閲覧した時間とから求められる、差分の値、大小関係その他の関係によって閲覧度合を定めても良い。
【０１７７】
図２８は、視聴質ランク実績記憶部２２３（図２）のレコードフォーマットのさらに別の例を示す図であり、特に、閲覧度合に基づいて視聴質ランクを決定するための情報を記憶する場合を示す。図２８に示すように、閲覧度合の区分と、各閲覧度合に対する視聴質ランクの実績値とが対応づけられて、視聴質ランク実績記憶部２２３（図２）に記憶される。
【０１７８】
図２９は、上記の例における、図１に示す広告システム１の動作を示すフローチャートである。図１８に示す広告システム１の動作と相違する点について説明する。
【０１７９】
まず、ユーザがユーザ端末１３を操作してニュースサイトにアクセスすると、アドサーバー２０又は他のサーバ装置（図示略）から視聴質対象のコンテンツ（最新経済ニュースの動画）へのリンク含むページデータ３４１がユーザ端末１３へ送信され、ユーザ端末１３には、ニュースサイトのウェブページ（ニュースページ）が表示される（ステップＳ１１）。
【０１８０】
続いて、ユーザがユーザ端末１３を操作して、表示中のニュースページに配されたリンクを選択することにより、視聴質対象のコンテンツ（最新経済ニュースの動画）を選択すると（ステップＳ１２）、当該コンテンツの受信要求とともに、ユニークユーザ識別子、ニュースページのページＩＤ、到達方法識別子の値がアドサーバー２０に送信される。
また、ユーザがユーザ端末１３を操作して、表示中のニュースページに配された別のリンクを選択することにより、関連ニュース等のコンテンツを選択したときには（ステップＳ１２）、当該コンテンツの受信要求とともに、ユニークユーザ識別子、ニュースページのページＩＤ、選択されたコンテンツのコンテンツＩＤがアドサーバー２０に送信される。
【０１８１】
アドサーバー２０において実行されるユーザ視聴質ランク取得処理（ステップＳ２１）において、ユーザ視聴質ランク取得処理部２１２（図２）は、受信したユニークユーザ識別子、ニュースページのページＩＤ、及び到達方法識別子或いは選択されたコンテンツのコンテンツＩＤを、所定の記憶部（不図示）に一時保存する。到達方法識別子或いはコンテンツＩＤは、後述するユーザ視聴質ランク取得処理（図３１、図３２、図３３）において、到達方法に基づいて視聴質ランクを決定する際に利用される。
【０１８２】
なお、図２９に示す例のその後の処理は、図１８に示す広告システム１の動作と同様なのでここでの詳しい説明は省略する。
【０１８３】
図３０は、広告システム１の動作のさらに別の例を示す図である。図３０に示す動作は、ユーザ視聴質ランク取得処理部２１２が実行するユーザ視聴質ランク取得処理（ステップＳ２１）において、アンケートを送受信することなく、ユーザ視聴質ランク記憶部２２２及び視聴質ランク実績記憶部２２３を参照してユーザ視聴質ランクを取得する点で、図２９の処理と異なる。
【０１８４】
すなわち、ステップＳ１２において、ユーザ端末１３の操作によりコンテンツが選択され、ユーザ端末１３からアドサーバー２０に対して、ユニークユーザ識別子、ニュースページのページＩＤ、及び到達方法識別子或いはコンテンツＩＤが送信されると、ユーザ視聴質ランク取得処理部２１２は、ステップＳ２１において、視聴質ランク実績記憶部２２３及びページ情報記憶部２２４に記憶された情報をもとに、ステップＳ１２において選択されたコンテンツの分類、到達時間、到達方法、或いは、閲覧度合に基づいて、ユーザ視聴質ランクを取得し、ユーザ視聴質ランク記憶部２２２に記憶する。
なお、本例では、ユーザの閲覧度合に基づいてユーザ視聴質ランクを取得するために、ユーザ端末１３においてコンテンツデータ３３３を受信してコンテンツが表示された後（ステップＳ１４）、ユーザが、ユーザ端末１３を操作して次のコンテンツを選択する（ステップＳ１２）或いは他のウェブサイトへ接続するまでの時間が、アドサーバー２０によって計測され、計測された時間情報が所定の記憶部（不図示）に記憶されるようにしている。
【０１８５】
図３１、図３２、図３３は、図２９及び図３０のステップＳ２１においてアドサーバー２０により実行されるユーザ視聴質ランク取得処理を、より詳細に示すフローチャートである。図３１は、図１のアドサーバー２０により実行されるユーザ視聴質ランク取得処理の別の例を示す全体のフローチャート、図３２は、図３１のユーザ視聴質ランク取得処理における視聴質ランクの取得（ステップＳ３００）での処理の詳細を示すフローチャート、図３３は、図３１のユーザ視聴質ランク取得処理における視聴質ランク実績保存（ステップＳ５００）での処理の詳細を示すフローチャートをそれぞれ示す。
本例のユーザ視聴質ランク取得処理の実行に際して、ユーザ視聴質ランク取得処理部２１２（図２）には、図２９及び図３０に示したように、ユーザ端末１３を操作してアクセスしたユーザのユニークユーザ識別子、ユーザ端末１３により表示されるニュースページを示すページＩＤ、及び、ＵＲＬリクエスト等に含まれる到達方法識別子或いはユーザ端末１３の操作により選択されたコンテンツのコンテンツＩＤが入力される。
そして、視聴質ランクの取得（ステップＳ３００）を実行する
【０１８６】
図３２を参照して、ユーザ視聴質ランク取得処理において、ユーザ視聴質ランク取得処理部２１２は、視聴質ランクの取得方法を判別する（ステップＳ３１１）。本例の広告システム１においては、ユーザの視聴質ランクを取得する方法として、アンケートにおけるユーザの回答に基づいて決定する方法と、ユーザがユーザ端末１３を操作して要求したコンテンツの分類によって決定する方法と、到達時間、すなわちウェブサイト上に視聴質対象のコンテンツが提供（アップロード）された日又は日時又は時刻と、ユーザが当該ウェブサイト上のコンテンツに到達（アクセス）した日又は日時又は時刻との差分に基づいて決定する方法と、到達方法、すなわちユーザがウェブサイト上のコンテンツに到達（アクセス）するために用いた手段又は契機に基づいて決定する方法と、閲覧度合、すなわちコンテンツを全て閲覧又は聴取又は視聴するのに要する時間とユーザがコンテンツを閲覧又は聴取又は視聴した実時間との関係に関する情報に基づいて決定する方法とを用いることができる。
【０１８７】
ユーザの視聴質ランクを取得する方法としてアンケートを用いる場合の処理（ステップＳ３２〜Ｓ３４）、コンテンツの分類に基づく方法を用いる場合の処理（ステップＳ３５，Ｓ３６）は、図２０に示す処理の場合と同様であるので、ここでの説明は省略する。
【０１８８】
視聴質ランクを取得する方法として、到達時間、すなわちウェブサイト上に視聴質対象のコンテンツが提供（アップロード）された日又は日時又は時刻と、ユーザが当該ウェブサイト上のコンテンツに到達（アクセス）した日又は日時又は時刻との差分に基づいて決定する方法を用いる場合、ユーザ視聴質ランク取得処理部２１２は、ニュースページが表示された状態でユーザ端末１３の操作により選択され、受信要求されたコンテンツ（最新経済ニュース）について、コンテンツのアップロード日時を示す情報を、ページ情報記憶部２２４（図１３に示すレコードに類似のレコード）から読み出して取得する（ステップＳ３７１）。続いて、ユーザ視聴質ランク取得処理部２１２は、取得したアップロード日時と、現在日時とを比較し、その差分を求めて到達時間を算出する（ステップＳ３７２）。そして、算出した到達時間に対応する視聴質ランクを、視聴質ランク実績記憶部２２３（図１１に示すレコードに類似のレコード）から読み出して取得し（ステップＳ３７３）、ステップＳ４０（図３１）へ移行する。
【０１８９】
また、視聴質ランクを取得する方法として、到達方法、すなわちユーザがウェブサイト上のコンテンツに到達（アクセス）するために用いた手段又は契機に基づいて決定する方法を用いる場合、ユーザ視聴質ランク取得処理部２１２は、ユーザ端末１３の操作により受信要求されたコンテンツ（最新経済ニュース）のＵＲＬリクエストパラメータ又はリクエスト元ＵＲＬをチェックし、到達方法を示す情報を取得する（ステップＳ３８１）。続いて、ユーザ視聴質ランク取得処理部２１２は、取得した到達方法に対応する視聴質ランクを、視聴質ランク実績記憶部２２３（図２７）から読み出して取得し（ステップＳ３８２）、ステップＳ４０（図３１）へ移行する。
【０１９０】
さらに、視聴質ランクを取得する方法として、閲覧度合、すなわちコンテンツを全て閲覧又は聴取又は視聴するのに要する時間とユーザがコンテンツを閲覧又は聴取又は視聴した実時間との関係に関する情報に基づいて決定する方法を用いる場合、ユーザ視聴質ランク取得処理部２１２は、ユーザ端末１３の操作により受信要求されたコンテンツ（最新経済ニュース）に対して、１００％閲覧に要する時間を求めるとともに、求めた１００％閲覧時間とユーザがコンテンツを実際に閲覧した時間との比から閲覧度合を算出する（ステップＳ３９１）。続いて、ユーザ視聴質ランク取得処理部２１２は、算出した閲覧度合に従って視聴質ランク実績記憶部２２３（図２８）に記憶された情報を参照し、視聴質ランクを取得して（ステップＳ３９２）、ステップＳ４０（図３１）へ移行する。なお、１００％閲覧に要する時間は、受信要求があった毎に求めても良いし、あらかじめコンテンツ毎にその時間を求めて所定の記憶部（不図示）に記憶させておき、受信要求があったときにその時間の情報を読み出すようにしても良い。
【０１９１】
図３１に示すステップＳ４０〜Ｓ４６の処理は、図２０に示す場合と同様であるので、ここでの詳しい説明を省略する。
【０１９２】
視聴質ランクを取得するためにアンケートを用いた場合（ステップＳ４６；Ｙｅｓ）、視聴質ランク実績保存の処理に移行し（ステップＳ５００）、ユーザ視聴質ランク取得処理部２１２は、視聴質ランク実績の保存方法を決定する（図３３のステップＳ５１１）。
【０１９３】
コンテンツ分類について視聴質ランク実績を保存する場合の処理（ステップＳ５１２，Ｓ５１３）は、図２０に示す場合のステップＳ４８、Ｓ４９の処理と同様である。
一方、到達時間について視聴質ランク実績を保存する場合、ユーザ視聴質ランク取得処理部２１２は、ページ情報記憶部２２４を参照して、ニュースページが表示された状態でユーザ端末１３の操作により選択され、受信要求されたコンテンツ（最新経済ニュース）のアップロード日時を示す情報を、ページ情報記憶部２２４から取得し（ステップＳ５２１）、取得したアップロード日時と、現在日時とを比較し、その差分を求めて到達時間を算出し（ステップＳ５２２）、視聴質ランク実績記憶部２２３において、算出した到達時間と取得したユーザ視聴質ランクに該当する視聴質ランク実績値をカウントアップし（ステップＳ５２３）、本処理を終了する。
【０１９４】
また、到達時間について視聴質ランク実績を保存する場合、ユーザ視聴質ランク取得処理部２１２は、ユーザ端末１３の操作により受信要求されたコンテンツ（最新経済ニュース）のＵＲＬリクエストパラメータ又はリクエスト元ＵＲＬをチェックし、到達方法を示す情報（到達方法識別子）を取得し（ステップＳ５３１）、視聴質ランク実績記憶部２２３において、取得した到達方法と取得したユーザ視聴質ランクに該当する視聴質ランク実績値をカウントアップし（ステップＳ５３２）、本処理を終了する。
【０１９５】
さらに、閲覧度合について視聴質ランク実績を保存する場合、ユーザ視聴質ランク取得処理部２１２は、ユーザ端末１３の操作により受信要求されたコンテンツ（最新経済ニュース）に対して、１００％閲覧に要する時間を求めるとともに、求めた１００％閲覧時間とユーザがコンテンツを実際に閲覧した時間との比から閲覧度合を算出し（ステップＳ５４１）、視聴質ランク実績記憶部２２３において、算出した閲覧度合と取得したユーザ視聴質ランクに該当する視聴質ランク実績値をカウントアップし（ステップＳ５４２）、本処理を終了する。
【０１９６】
視聴質ランク実績保存の処理（ステップＳ５００）は、コンテンツ分類による視聴質ランクの決定方法、到達時間による視聴質ランクの決定方法、到達方法による視聴質ランクの決定方法、或いは閲覧度合による視聴質ランクの決定方法を用いる場合に参照される視聴質ランク実績記憶部２２３の情報を、アンケートにより得られたユーザ視聴質ランクをもとに、更新する処理であり、アンケートにより得られた結果を、コンテンツ分類、到達時間、到達方法、或いは閲覧度合により視聴質ランクを判定する場合の基準に反映させて、アンケートの結果を効率よく利用できるので、有利である。
【０１９７】
なお、アンケートにより得られたユーザ視聴質ランクによらずに、視聴質ランク実績記憶部２２３の情報を更新するようにしても良い。例えば、ユーザの視聴質ランク実績が最初に保存されるとき又は実績の更新回数が少ないときは、アンケートにより得られた結果を判定基準に反映させ、その後、情報の更新が所定の回数行われた後には、ユーザの視聴質ランクを取得する方法としてアンケートを用いる方法を省略し、コンテンツ分類、到達時間、到達方法、或いは閲覧度合に基づいて決定する方法により視聴質ランクを取得しても良い。
【０１９８】
本実施の形態においては、視聴質ランク取得処理（図２０、図３１、図３２、図３３）において、ユーザの視聴質ランクを取得する方法として、アンケートにおけるユーザの回答に基づいて決定する方法と、ユーザがユーザ端末１３を操作して要求したコンテンツの分類によって決定する方法と、到達時間に基づいて決定する方法と、到達方法に基づいて決定する方法と、ユーザの閲覧度合に基づいて決定する方法とを用いる例を説明したが、これらの決定方法を用いた処理を単独で実行してユーザの視聴率ランクを取得することも、複数の決定方法毎の処理の結果をもとに、その結果の相関関係を公知の統計的技法により分析し、その分析結果からユーザの視聴率ランクを取得するようにしても良い。
【０１９９】
なお、本実施の形態においては、図２に示す広告制御情報入力処理部２１１、ユーザ視聴質ランク取得処理部２１２、広告制御処理部２１３、広告出力結果保存処理部２１４、及び広告出力結果確認処理部２１５の各処理部、及び、契約情報記憶部２２１、ユーザ視聴質ランク記憶部２２２、視聴質ランク実績記憶部２２３、ページ情報記憶部２２４、視聴質テーブル２２５、広告制御情報記憶部２２６及び広告出力結果記憶部２２７の各記憶部のいずれも、アドサーバー２０が備えるものとして説明した。この構成によれば、アドサーバー２０において多くの情報及びその処理を管理できるという利点があるが、本発明はこれに限定されるものではなく、その一部または全部を、ユーザ端末１３自身が備える構成としても良いし、他のサーバ装置（図示略）が備える構成としても良い。
ここで、ユーザ端末１３が、図２に示すアドサーバー２０の機能部の一部を備える例について、図３４及び図３５を参照して説明する。
【０２００】
図３４は、ユーザ端末１３及びアドサーバー２０の機能的構成について、別の例を示すブロック図である。
図３４に示す例では、ユーザ端末１３が、ユーザ視聴質ランク取得処理部２１２、ユーザ視聴質ランク記憶部２２２、視聴質ランク実績記憶部２２３、及びページ情報記憶部２２４を備えている。また、アドサーバー２０は、広告制御情報入力処理部２１１、広告制御処理部２１３、広告出力結果保存処理部２１４及び広告出力結果確認処理部２１５の各処理部と、契約情報記憶部２２１、ページ情報記憶部２２４、視聴質テーブル２２５、広告制御情報記憶部２２６及び広告出力結果記憶部２２７の各記憶部とを備える構成である。
【０２０１】
なお、ユーザ端末１３が有するページ情報記憶部２２４と、アドサーバー２０が有するページ情報記憶部２２４とは互いに同期され、同じ内容の情報を記憶する。
【０２０２】
このように、図２に示すアドサーバー２０が備える各機能部の一部を、ユーザ端末１３が備える構成とすることで、ユーザ端末１３を操作するユーザ固有の視聴質ランク実績をユーザ端末１３において記憶することができる。これにより、ユーザ端末１３においてユーザの視聴質ランクを求めてアドサーバー２０に通知することができ、アドサーバー２０においては、ユーザ端末１３から通知される視聴質ランクに基づいて迅速な処理を行うことができるという利点がある。
【０２０３】
また、図３５は、ユーザ端末１３及びアドサーバー２０の機能的構成について、さらに別の例を示すブロック図である。
図３５に示す例では、ユーザ端末１３が、ユーザ視聴質ランク取得処理部２１２、広告制御処理部２１３、ユーザ視聴質ランク記憶部２２２、視聴質ランク実績記憶部２２３、ページ情報記憶部２２４、視聴質テーブル２２５及び広告制御情報記憶部２２６を備えている。また、アドサーバー２０は、広告制御情報入力処理部２１１、広告出力結果保存処理部２１４及び広告出力結果確認処理部２１５の各処理部と、契約情報記憶部２２１、ページ情報記憶部２２４、視聴質テーブル２２５及び広告出力結果記憶部２２７の各記憶部とを備える構成である。
【０２０４】
なお、ユーザ端末１３が有するページ情報記憶部２２４及び視聴質テーブル２２５と、アドサーバー２０が有するページ情報記憶部２２４及び視聴質テーブル２２５とは互いに同期され、同じ内容の情報を記憶する。
【０２０５】
このように、図２に示すアドサーバー２０が備える各機能部の一部を、ユーザ端末１３が備える構成とすることで、ユーザ端末１３を操作するユーザの属性に応じた広告制御情報のみを、ユーザ端末１３の広告制御情報記憶部２２６に格納することができる。これによって、より効率の良い広告を行うことができるという利点がある。
【０２０６】
また、ユーザ端末１３とアドサーバー２０との間におけるネットワーク１１の具体的態様は任意であり、ユーザ端末１３及び広告主端末１５としては、パーソナルコンピュータ、ＰＤＡ、携帯電話機、通信機能（双方向通信機能）を備えたテレビ受像器及びテレビ放送受信機等の他、各種電子機器を用いることが可能であり、その具体的な構成は限定されない。その他の細部構成についても、本発明の趣旨を損なうことのない範囲において適宜変更可能である。
【図面の簡単な説明】
【０２０７】
【図１】本発明を適用した実施の形態における広告システム１の概略構成を示す図である。
【図２】図１に示すアドサーバー２０の機能的構成を示すブロック図である。
【図３】図１に示す広告システム１における広告効果の基準を説明するための図である。
【図４】図１に示す広告システム１におけるＧＱＰの値と広告表示回数の相関を示す図表である。
【図５】図１に示す広告システム１におけるＧＱＰの値と広告表示回数の相関を示す図表であり、（ａ）は広告を表示するユーザのランクが特定のランクに限定されない場合を示し、（ｂ）は、（ａ）と同様にユーザのランクが特定のランクに限定されないが、表示結果平均視聴質が指定された場合を示す。
【図６】図１に示す広告主端末１５の表示画面上に表示される広告制御情報入力画面３０１の構成例を示す図である。
【図７】図１に示す広告主端末１５の表示画面上に表示される広告制御情報入力画面３０２の構成例を示す図である。
【図８】図２に示す契約情報記憶部２２１のレコードフォーマットの一例を示す図である。
【図９】図２に示すユーザ視聴質ランク記憶部２２２のレコードフォーマットの一例を示す図である。
【図１０】図２に示す視聴質ランク実績記憶部２２３のレコードフォーマットの一例を示す図である。
【図１１】図２に示す視聴質ランク実績記憶部２２３のレコードフォーマットの別の例を示す図である。
【図１２】図２に示す視聴質ランク実績記憶部２２３のレコードフォーマットのさらに別の例を示す図である。
【図１３】図２に示すページ情報記憶部２２４のレコードフォーマットの一例を示す図である。
【図１４】図２に示す視聴質テーブル２２５の構成例を示す図であり、（ａ）は視聴質テーブル２２５に含まれる視聴質ポイントテーブル２２５ａのレコードフォーマットの一例を示し、（ｂ）は視聴質テーブル２２５に含まれる視聴質単価テーブル２２５ｂのレコードフォーマットの一例を示し、（ｃ）は視聴質テーブル２２５に含まれる視聴質度合テーブル２２５ｃのレコードフォーマットの一例を示す。
【図１５】図２に示す広告制御情報記憶部２２６のレコードフォーマットの一例を示す図である。
【図１６】図２に示す広告表示結果記憶部２２７のレコードフォーマットの一例を示す図である。
【図１７】図１のアドサーバー２０により実行される広告表示回数配分処理を示すフローチャートである。
【図１８】図１に示す広告システム１の動作を示すフローチャートである。
【図１９】図１に示す広告システム１の動作の別の例を示すフローチャートである。
【図２０】図１のアドサーバー２０により実行されるユーザ視聴質ランク取得処理を示すフローチャートである。
【図２１】図１のアドサーバー２０により実行される広告制御処理を示すフローチャートである。
【図２２】図１のアドサーバー２０により実行される広告制御処理の別の例を示すフローチャートである。
【図２３】図１のアドサーバー２０により実行される広告表示結果保存処理を示すフローチャートである。
【図２４】図１に示す広告主端末１５の表示画面上に表示される広告表示結果画面３０３の構成例を示す図である。
【図２５】図１に示すユーザ端末１３の表示画面上に表示されるアンケート表示フォーマット３０４の構成例を示す図である。
【図２６】図１に示すユーザ端末１３の表示画面上に表示される広告表示イメージの構成例を示す図である。
【図２７】図２に示す視聴質ランク実績記憶部２２３のレコードフォーマットのさらに別の例を示す図である。
【図２８】図２に示す視聴質ランク実績記憶部２２３のレコードフォーマットのさらに別の例を示す図である。
【図２９】図１に示す広告システム１の動作のさらに別の例を示すフローチャートである。
【図３０】図１に示す広告システム１の動作のさらに別の例を示すフローチャートである。
【図３１】図１のアドサーバー２０により実行されるユーザ視聴質ランク取得処理の別の例を示す全体のフローチャートである。
【図３２】図３１のユーザ視聴質ランク取得処理における視聴質ランクの取得（ステップＳ３００）での処理の詳細を示すフローチャートである。
【図３３】図３１のユーザ視聴質ランク取得処理における視聴質ランク実績保存（ステップＳ５００）での処理の詳細を示すフローチャートである。
【図３４】図１に示すユーザ端末１３及びアドサーバー２０の機能的構成について、別の例を示すブロック図である。
【図３５】図１に示すユーザ端末１３及びアドサーバー２０の機能的構成について、さらに別の例を示すブロック図である。
【符号の説明】
【０２０８】
１  広告システム
１１  ネットワーク
１３  ユーザ端末
１５  広告主端末
２０  アドサーバー
【図１】
2007073059.tif 000003
【図２】
2007073059.tif 000004
【図３】
2007073059.tif 000005
【図４】
2007073059.tif 000006
【図５】
2007073059.tif 000007
【図６】
2007073059.tif 000008
【図７】
2007073059.tif 000009
【図８】
2007073059.tif 000010
【図９】
2007073059.tif 000011
【図１０】
2007073059.tif 000012
【図１１】
2007073059.tif 000013
【図１２】
2007073059.tif 000014
【図１３】
2007073059.tif 000015
【図１４】
2007073059.tif 000016
【図１５】
2007073059.tif 000017
【図１６】
2007073059.tif 000018
【図１７】
2007073059.tif 000019
【図１８】
2007073059.tif 000020
【図１９】
2007073059.tif 000021
【図２０】
2007073059.tif 000022
【図２１】
2007073059.tif 000023
【図２２】
2007073059.tif 000024
【図２３】
2007073059.tif 000025
【図２４】
2007073059.tif 000026
【図２５】
2007073059.tif 000027
【図２６】
2007073059.tif 000028
【図２７】
2007073059.tif 000029
【図２８】
2007073059.tif 000030
【図２９】
2007073059.tif 000031
【図３０】
2007073059.tif 000032
【図３１】
2007073059.tif 000033
【図３２】
2007073059.tif 000034
【図３３】
2007073059.tif 000035
【図３４】
2007073059.tif 000036
【図３５】
2007073059.tif 000037